(57)【要約】【課題】本発明は、通信接続装置の使い勝手を向上させる。【解決手段】本発明は、通信対象として選定された機器１２Ａ乃至１２Ｎと通信接続するための通信接続処理を開始して当該通信対象の機器１２Ａ乃至１２Ｎを示す選定機器画像を表示し、選定機器画像に通信接続処理の進捗状況を通知するための進捗状況通知画像を合成するようにして、当該通信接続処理の進捗状況に応じて、選定機器画像に合成する進捗状況通知画像を更新することにより、通信接続処理を実行している間、ユーザに、選定機器画像内の進捗状況通知画像により通信接続処理の進捗状況を認識させることができ、機器１２Ａ乃至１２Ｎとの通信接続が何時ぐらいに確立するのかを予測可能な状態で当該通信接続が確立することを待たせることができ、通信接続装置の使い勝手を向上させることができる。【選択図】図２４
2012253508.tif 000002
【特許請求の範囲】
【請求項１】
通信対象として選定された機器と通信接続するための通信接続処理を開始して、上記通信対象の機器を示す選定機器画像を表示する表示ステップと、
上記選定機器画像に上記通信接続処理の進捗状況を通知するための進捗状況通知画像を合成するようにして、上記通信接続処理の進捗状況に応じて、上記選定機器画像に合成する上記進捗状況通知画像を更新する進捗状況通知ステップと
を具える通信接続方法。
【請求項２】
上記進捗状況通知ステップは、
上記選定機器画像内の、当該選定機器画像が示す上記通信対象の機器の機器位置とは異なる合成位置に上記進捗状況通知画像を合成する
請求項１に記載の通信接続方法。
【請求項３】
上記進捗状況通知ステップは、
上記選定機器画像内の上記合成位置に上記進捗状況通知画像を、当該進捗状況通知画像の画像一端を上記機器位置に向けて合成するようにして、上記通信接続処理の進捗状況に応じて、上記選定機器画像に合成する上記進捗状況通知画像を、当該進捗状況通知画像の画像他端を固定したまま全体を順次伸ばして上記画像一端を上記機器位置に近づけるように更新する
請求項２に記載の通信接続方法。
【請求項４】
上記進捗状況通知ステップは、
上記通信接続処理の進捗状況として上記通信接続が確立したとき、上記選定機器画像に合成する上記進捗状況通知画像を、上記画像他端を固定したまま全体を伸ばして上記画像一端を上記機器位置に接触させるように更新する
請求項３に記載の通信接続方法。
【請求項５】
上記進捗状況通知ステップは、
上記通信接続処理の進捗状況に応じて、上記選定機器画像に合成する上記進捗状況通知画像を順次等しい長さずつ伸ばすように更新する
請求項４に記載の通信接続方法。
【請求項６】
上記進捗状況通知ステップは、
上記通信接続処理の進捗状況として上記通信対象の機器に通信接続用の信号を送信する毎に、上記選定機器画像に合成する上記進捗状況通知画像を更新する
請求項５に記載の通信接続方法。
【請求項７】
上記進捗状況通知ステップは、
上記選定機器画像内の上記機器位置に応じて、上記選定機器画像内の上記進捗状況通知画像の上記合成位置を選定する
請求項６に記載の通信接続方法。
【請求項８】
上記進捗状況通知ステップは、
上記通信接続処理の進捗状況として上記通信接続が確立したとき、上記進捗状況通知画像の表示状態を変更する
請求項７に記載の通信接続方法。
【請求項９】
通信対象として選定された機器と通信接続するための通信接続処理を実行する通信接続処理部と、
上記通信接続処理部により上記通信接続処理が開始されると、上記通信対象の機器を示す選定機器画像を表示する表示部と、
上記選定機器画像に上記通信接続処理の進捗状況を通知するための進捗状況通知画像を合成するようにして、上記通信接続処理の進捗状況に応じて、上記選定機器画像に合成する上記進捗状況通知画像を更新する進捗状況通知部と
を具える通信接続装置。
【請求項１０】
コンピュータに
通信対象として選定された機器と通信接続するための通信接続処理を開始して、上記通信対象の機器を示す選定機器画像を表示する表示ステップと、
上記選定機器画像に上記通信接続処理の進捗状況を通知するための進捗状況通知画像を合成するようにして、上記通信接続処理の進捗状況に応じて、上記選定機器画像に合成する上記進捗状況通知画像を更新する進捗状況通知ステップと
を実行させるための通信接続プログラム。
【発明の詳細な説明】
【技術分野】
【０００１】
本発明は通信接続方法、通信接続装置、通信接続プログラムに関し、例えば、近距離無線通信規格に準じた通信機能を有する機器と、当該近距離無線通信規格に準じて通信接続可能な携帯端末に適用して好適なものである。
【背景技術】
【０００２】
従来の携帯型情報処理端末は、近距離無線通信規格に準じた通信機能と共に、内蔵又は外付けのカメラを使用する撮影機能を有している。
【０００３】
これにより携帯型情報処理端末は、当該携帯型情報処理端末と同様の近距離無線通信規格に準じた通信機能を有する情報機器や情報家電のようなターゲットを、カメラを使用して撮影することができる。
【０００４】
ただし、ターゲットは、その表面に当該ターゲットのＩＤコードを表現するサイバーコードが視覚的に識別可能な状態に設けられている。
【０００５】
よって携帯型情報処理端末は、カメラを使用してターゲットを、その表面のサイバーコードと共に撮影して撮影画像を得ると、当該撮影画像に写り込んでいるサイバーコードをもとに、ターゲットのネットワークアドレスを取得する。
【０００６】
そして携帯型情報処理端末は、ディスプレイに例えば、その撮影画像を表示しながら、この際に取得したネットワークアドレスを使用してターゲット（すなわち、この際に撮影されたターゲット）と通信接続する。
【０００７】
このようにして従来の携帯型情報処理端末は、ユーザに通信対象のターゲットを撮影させるだけで、当該ターゲットと通信接続することができるようにしていた（例えば、特許文献１参照）。
【先行技術文献】
【特許文献】
【０００８】
【特許文献１】特許第４１７８６９７号（第１８頁、第１９頁）
【発明の概要】
【発明が解決しようとする課題】
【０００９】
ところで、携帯型情報処理端末は、ターゲットと通信接続する際、実際には通信接続処理を実行してターゲットと通信接続用の信号を自動的に何度かやりとりして、最終的に通信接続を確立（すなわち、実際にデータを送受信可能な状態に）している。
【００１０】
ただし、携帯型情報処理端末は、通信接続処理を開始してから、ターゲットとの通信接続が確立して、その通信接続処理が終了するまでに例えば、数十秒のように比較的長い処理時間を要している。
【００１１】
このため携帯型情報処理端末は、通信接続処理の実行中には、例えば、ディスプレイに通信接続処理の実行中であることを示すコメントや図形等を表示している。
【００１２】
ところが、携帯型情報処理端末は、通信接続処理の実行中にコメントや図形等を表示しただけでは、ユーザに通信接続処理がどの程度進んでいるのかを認識させることができない。
【００１３】
このため携帯型情報処理端末は、通信接続処理を実行した場合、ユーザに対し、ターゲットとの通信接続が何時ぐらいに確立するのかを全く予測し得ない状態で当該通信接続が確立するまで待たせることになり使い勝手がわるいという問題があった。
【００１４】
本発明は以上の点を考慮してなされたもので、通信接続装置の使い勝手を向上し得る通信接続方法、通信接続装置、通信接続プログラムを提案しようとするものである。
【課題を解決するための手段】
【００１５】
かかる課題を解決するため本発明においては、通信接続装置において、通信対象として選定された機器と通信接続するための通信接続処理を開始して、通信対象の機器を示す選定機器画像を表示し、当該選定機器画像に通信接続処理の進捗状況を通知するための進捗状況通知画像を合成するようにして、通信接続処理の進捗状況に応じて、選定機器画像に合成する進捗状況通知画像を更新するようにした。
【００１６】
従って本発明では、通信接続処理を実行している間、ユーザに選定機器画像内の進捗状況通知画像により通信接続処理の進捗状況を認識させることができ、その結果、機器との通信接続が何時ぐらいに確立するのかを予測可能な状態で当該通信接続が確立することを待たせることができる。
【発明の効果】
【００１７】
本発明によれば、通信対象として選定された機器と通信接続するための通信接続処理を開始して、通信対象の機器を示す選定機器画像を表示し、当該選定機器画像に通信接続処理の進捗状況を通知するための進捗状況通知画像を合成するようにして、通信接続処理の進捗状況に応じて、選定機器画像に合成する進捗状況通知画像を更新するようにしたことにより、通信接続処理を実行している間、ユーザに選定機器画像内の進捗状況通知画像により通信接続処理の進捗状況を認識させることができ、その結果、機器との通信接続が何時ぐらいに確立するのかを予測可能な状態で当該通信接続が確立することを待たせることができ、かくして通信接続装置の使い勝手を向上し得る通信接続方法、通信接続装置、通信接続プログラムを実現することができる。
【図面の簡単な説明】
【００１８】
【図１】本実施の形態による通信接続装置の構成の概要を示すブロック図である。
【図２】本実施の形態による通信接続システムの構成を示すブロック図である。
【図３】本実施の形態による通信接続装置の具体例である携帯端末の外観構成を示す略線図である。
【図４】本実施の形態による通信接続装置の具体例である携帯端末の回路構成を示すブロック図である。
【図５】コードシールが貼着された機器の説明に供する略線図である。
【図６】２次元コードの構成を示す略線図である。
【図７】コードシールが貼着されていない機器の説明に供する略線図である。
【図８】３次元空間画像の構成を示す略線的斜視図である。
【図９】選定された機器の機器アイコンを配置した３次元空間画像の生成の説明に供する略線的斜視図である。
【図１０】携帯端末による選定機器画像の表示（１）の説明に供する略線図である。
【図１１】携帯端末による選定機器画像の表示（２）の説明に供する略線図である。
【図１２】携帯端末による選定機器画像の表示（３）の説明に供する略線図である。
【図１３】選定機器画像上での通信対象の機器の選定の説明に供する略線図である。
【図１４】通信接続処理の進捗状況の通知段階に応じた位置間線分の分割の説明に供する略線的斜視図である。
【図１５】３次元空間画像内の進捗状況通知画像の配置（１）の説明に供する略線的斜視図である。
【図１６】選定機器画像への進捗状況通知画像の合成の説明に供する略線図である。
【図１７】３次元空間画像内の進捗状況通知画像の配置（２）の説明に供する略線的斜視図である。
【図１８】選定機器画像内の進捗状況通知画像の更新（１）の説明に供する略線図である。
【図１９】３次元空間画像内の進捗状況通知画像の配置（３）の説明に供する略線的斜視図である。
【図２０】選定機器画像内の進捗状況通知画像の更新（２）の説明に供する略線図である。
【図２１】３次元空間画像内の進捗状況通知画像の配置（４）の説明に供する略線的斜視図である。
【図２２】選定機器画像内の進捗状況通知画像の更新（３）の説明に供する略線図である。
【図２３】通信接続が確立したときの３次元空間画像内の進捗状況通知画像の配置の説明に供する略線的斜視図である。
【図２４】選定機器画像内の進捗状況通知画像の最終的な更新の説明に供する略線図である。
【図２５】通信対象の機器を探索し得なかったときの選定機器画像の構成を示す略線図である。
【図２６】選定機器合成画像の構成を示す略線図である。
【図２７】サムネイル画像へのタップ操作による送信対象の写真画像データの選択の説明に供する略線図である。
【図２８】サムネイル画像の進捗状況通知画像上へのドラッグによる送信対象の写真画像データの選択の説明に供する略線図である。
【図２９】写真画像データの送信処理の進捗状況に応じた３次元空間画像内のサムネイル画像の配置（１）の説明に供する略線的斜視図である。
【図３０】選定機器画像による送信処理の進捗状況の通知（１）の説明に供する略線図である。
【図３１】写真画像データの送信処理の進捗状況に応じた３次元空間画像内のサムネイル画像の配置（２）の説明に供する略線的斜視図である。
【図３２】選定機器画像による送信処理の進捗状況の通知（２）の説明に供する略線図である。
【図３３】写真画像データの送信が完了したときの選定機器画像の構成を示す略線図である。
【図３４】選定機器画像上での通信接続の切断の指示の説明に供する略線図である。
【図３５】通信対象の機器との通信接続を切断したときの選定機器画像の構成を示す略線図である。
【図３６】選定機器画像上での機器との再接続の指示の説明に供する略線図である。
【図３７】通信接続処理手順を示すフローチャートである。
【図３８】進捗状況通知処理サブルーチンを示すフローチャートである。
【図３９】携帯端末と通信対象の機器との通信接続の変形例を示す略線図である。
【図４０】進捗状況通知画像の変形例を示す略線図である。
【発明を実施するための形態】
【００１９】
以下図面を用いて、発明を実施するための最良の形態（以下、これを実施の形態とも呼ぶ）について説明する。なお、説明は以下の順序で行う。
１．実施の形態
２．変形例
【００２０】
＜１．実施の形態＞
［１−１．実施の形態による通信接続装置の構成の概要］
まず、本実施の形態の概要を説明する。因みに、この概要を説明した後、本実施の形態の具体例の説明に移る。図１において、１は全体として本実施の形態による通信接続装置を示す。
【００２１】
係る通信接続装置１において通信接続処理部２は、通信対象として選定された機器と通信接続するための通信接続処理を実行する。
【００２２】
また通信接続装置１において表示部３は、通信接続処理部２により通信接続処理が開始されると、通信対象の機器を示す選定機器画像を表示する。
【００２３】
さらに通信接続装置１において進捗状況通知部４は、選定機器画像に通信接続処理の進捗状況を通知するための進捗状況通知画像を合成するようにして、通信接続処理の進捗状況に応じて、選定機器画像に合成する進捗状況通知画像を更新する。
【００２４】
かかる構成により通信接続装置１は、通信接続処理を実行している間、ユーザに選定機器画像内の進捗状況通知画像により通信接続処理の進捗状況を認識させることができる。
【００２５】
その結果、通信接続装置は、通信接続処理を実行している間、ユーザを、機器との通信接続が何時ぐらいに確立するのかを予測可能な状態で当該通信接続が確立することを待たせることができる。これにより通信接続装置１は、使い勝手を格段的に向上させることができる。
【００２６】
［１−２．実施の形態による通信接続システムの構成］
図２において、１０は全体として、本実施の形態による通信接続システムを示す。係る通信接続システム１０は、上述の概要で示した通信接続装置１の具体例であるスマートフォンと呼ばれる携帯端末１１を有している。
【００２７】
この携帯機器１１は、例えば、ＩＥＥＥ（Institute  of  Electrical  and  Electronics  Engineers）８０２規格のような近距離無線通信規格に準じた通信機能を有している。
【００２８】
また通信接続システム１０は、携帯端末１１と同一の近距離無線通信規格に準じた通信機能を有するパーソナルコンピュータやテレビジョン受像機、無線ルータ等の種々の機器１２Ａ乃至１２Ｎも有している。
【００２９】
これにより通信接続システム１０では、携帯端末１１が種々の機器１２Ａ乃至１２Ｎと近距離無線通信規格に準じて無線で通信接続して、当該機器１２Ａ乃至１２Ｎとの間で種々のデータを送受信し得るようになされている。
【００３０】
［１−３．携帯端末の外観構成］
次いで、図３（Ａ）及び（Ｂ）を用いて、携帯端末１１の外観構成について説明する。係る携帯端末１１は、略偏平矩形状の端末筐体２０を有している。
【００３１】
因みに、以下の説明では、端末筐体２０の長手方向を、筐体長手方向とも呼び、当該端末筐体２０の短手方向を、筐体短手方向とも呼ぶ。
【００３２】
また、以下の説明では、端末筐体２０において筐体長手方向の一端を、筐体上端とも呼び、当該筐体長手方向の他端を、筐体下端とも呼ぶ。
【００３３】
さらに、以下の説明では、端末筐体２０において筐体短手方向の一端を、筐体左端とも呼び、当該筐体短手方向の他端を、筐体右端とも呼ぶ。
【００３４】
端末筐体２０の正面２０Ａには、筐体上端寄りに、液晶ディスプレイや有機ＥＬ（Electro  Luminescence）ディスプレイのようなディスプレイ２１の表示面２１Ａが、当該表示面２１Ａ全体を外部に露出させて配置されている。
【００３５】
そしてディスプレイ２１の表示面２１Ａ上には、当該表示面２１Ａ全体を覆うように透明なタッチパネル２２が貼着されている。
【００３６】
また端末筐体２０の正面２０Ａには、筐体下端寄りに複数の操作ボタン２３が例えば、筐体短手方向に沿って一列に並べられて配置されている。
【００３７】
これにより携帯端末１１は、タッチパネル２２や複数の操作ボタン２３を介して種々の指示や命令を入力させることができる。
【００３８】
一方、端末筐体２０の背面２０Ｂには、筐体右上端部にカメラ部の撮影レンズ２４が、その入射面を外部に露出させて配置されている。
【００３９】
これにより携帯端末１１は、端末筐体２０の背面２０Ｂと共に撮影レンズ２４の入射面を被写体に向けてタッチパネル２２又は操作ボタン２３が操作され撮影命令が入力されると、被写体を含む撮影範囲から到来する撮影光を撮影レンズからカメラ部に取り込む。このようにして携帯端末１１は、カメラ部を用いて被写体を写真撮影することができる。
【００４０】
［１−４．携帯端末の回路構成］
次いで、図４を用いて、携帯端末１１の回路構成について説明する。携帯端末１１は、中央処理ユニット（CPU：Central  Processing  Unit）３０を有している。
【００４１】
中央処理ユニット３０は、ＲＯＭ（Read  Only  Memory）３１に予め記憶された基本プログラムや、通信接続プログラム及び通信処理プログラムのようなアプリケーションプログラム等の各種プログラムをＲＡＭ（Random  Access  Memory）３２に読み出す。
【００４２】
そして中央処理ユニット３０は、ＲＡＭ３２上で展開した各種プログラムに従って全体を制御すると共に、所定の演算処理や、ユーザの操作に応じた各種処理を実行する。
【００４３】
ここで、携帯端末１１において上述の各種操作ボタン２３は、ユーザによって押下操作されると、その押下操作に応じた操作入力信号を入力処理部３３に送出する。
【００４４】
入力処理部３３は、操作ボタン２３から供給される操作入力信号に対して所定の処理を施すことにより、当該操作入力信号を操作コマンドに変換して中央処理ユニット３０に送出する。
【００４５】
よって中央処理ユニット３０は、ユーザの操作として操作ボタン２３が押下操作された場合、その押下操作に応じて入力処理部３３から与えられた操作コマンドに応じた各種処理を実行する。
【００４６】
ところで、携帯端末１１において上述のタッチパネル２２は、あたかもディスプレイ２１の表示面２１Ａにタッチさせているように、当該タッチパネル２２の表面に指やスタイラスペン等をタッチさせて種々の命令や指示を入力させるためのものである。
【００４７】
タッチパネル２２の表面にタッチさせて種々の命令や指示を入力するための操作としては、タッチパネル２２の表面に１本の指の指先や、１本のスタイラスペンのペン先等をほぼ一点にタッチさせて直ちに離すようなものがある。
【００４８】
また、かかる操作としては、タッチパネル２２の表面に１本の指の指先や、１本のスタイラスペンのペン先等をタッチさせたまま、直線や円等の所望の線画を描くように移動させる（すなわち、表面上で指先等を滑らせる）ようなものもある。
【００４９】
因みに、以下の説明では、タッチパネル２２の表面に１本の指の指先や、１本のスタイラスペンのペン先等をほぼ一点にタッチさせて直ちに離すような操作を、タップ操作とも呼ぶ。
【００５０】
タップ操作は、例えば、ディスプレイ２１に表示されている画像上で当該画像内のアイコンやボタン等の指示項目を指示するために行われる操作である。
【００５１】
また、以下の説明では、タッチパネル２２の表面に１本の指の指先や、１本のスタイラスペンのペン先等をタッチさせたまま所望の線画を描くように移動させるような操作を、スライド操作とも呼ぶ。
【００５２】
このスライド操作は、例えば、ディスプレイ２１に表示されている画像上で当該画像内のアイコン等の移動可能項目を所望の位置までドラッグ（すなわち、移動）させるために行われる操作である。
【００５３】
またスライド操作は、例えば、ディスプレイ２１に表示されている画像上でのスライド操作の位置や当該スライド操作で描く線画の形状に応じた命令を入力するため等にも行われる操作である。
【００５４】
なお、以下の説明では、タッチパネル２２の表面に指先等をタッチさせるようにして行われるタップ操作及びスライド操作を、特には区別する必要のない場合、まとめてタッチ操作とも呼ぶ。
【００５５】
タッチパネル２２は、表面がタッチ操作された場合、タッチ操作の開始から終了までの間、格段的に短い例えば、数［μｓｅｃ］のような一定時間毎にタッチ位置を、ディスプレイ２１の表示面２１Ａの画素位置の座標として検出する。
【００５６】
またタッチパネル２２は、タッチ位置を検出する毎に、当該検出したタッチ位置を示すタッチ位置情報を中央処理ユニット３０に送出する。
【００５７】
中央処理ユニット３０は、タッチパネル２２からタッチ位置情報が与えられると、例えば、そのタッチ位置情報が与えられている間の時間を、タッチ操作の開始から終了までのタッチ操作が行われた時間（以下、これをタッチ操作時間とも呼ぶ）として検出する。
【００５８】
また中央処理ユニット３０は、例えば、そのタッチ位置情報が与えられている間の、当該タッチ位置情報が示すタッチ位置の変位量を、タッチ操作の開始から終了までにタッチ位置がどの程度変位したのかを示すタッチ位置変位量として検出する。
【００５９】
そして中央処理ユニット３０は、そのタッチ操作時間とタッチ位置変位量とに基づきタッチ操作の種類（すなわち、タップ操作やスライド操作の何れであるのか）を判別する。
【００６０】
よって中央処理ユニット３０は、ユーザの操作としてタッチパネル２２の表面がタッチ操作された場合、当該タッチパネル２２の表面に対して行われたタッチ操作の種類及び位置に応じた各種処理を実行する。
【００６１】
このようにして中央処理ユニット３０は、ＲＡＭ３２上で展開した各種プログラムに従って通話機能、音楽等の音声データの取得機能及び再生機能、被写体の撮影機能、その撮影によって得られた写真画像の再生機能等のように種々の機能を実現することができる。
【００６２】
実際に携帯端末１１には、電話会社が管理運営している広域電話回線網の基地局と通信するために用いる通信処理部３４及びアンテナ３５が設けられている。
【００６３】
係る通信処理部３４は、広域電話回線網の基地局に適用された無線通信規格に準じて、送信用のデータに所定の送信処理を施すと共に、アンテナ３５で受信されたデータに所定の受信処理を施すものである。
【００６４】
またアンテナ３５は、広域電話回線網の基地局に適用された無線通信規格に準じて、通信処理部３４で送信処理されたデータを基地局に送信すると共に、当該基地局から送信されたデータを受信するものである。
【００６５】
因みに、以下の説明では、広域電話回線網用の基地局と通信するために用いられる通信処理部３４を、広域用通信処理部３４とも呼び、当該広域電話回線網用の基地局と通信するために用いられるアンテナ３５を、広域用アンテナ３５とも呼ぶ。
【００６６】
中央処理ユニット３０は、ユーザにより操作ボタン２３やタッチパネル２２を介して通話機能が選択されると、通話モードに移行する。
【００６７】
この状態で中央処理ユニット３０は、ユーザにより操作ボタン２３又はタッチパネル２２を介して通話の相手の電話番号が入力され、引き続き発呼命令が入力されると、その電話番号を用いて発呼データを生成する。
【００６８】
また中央処理ユニット３０は、発呼データを、広域用通信処理部３４を介して広域用アンテナ３５から基地局に送信する。
【００６９】
これにより中央処理ユニット３０は、発呼データを広域電話回線網経由で相手の通話機器（図示せず）に送信して、当該相手に通話機器を介してユーザからの発呼を通知する。
【００７０】
その結果、中央処理ユニット３０は、相手が通話を許可して当該相手の通話機器との通信接続が確立すると、マイクロホン３６によりユーザの音声を集音し、得られる音声信号を音声処理部３７で処理して通話用音声データを生成する。
【００７１】
そして中央処理ユニット３０は、その通話用音声データを、広域用通信処理部３４を介して広域用アンテナ３５から基地局に送信する。
【００７２】
これにより中央処理ユニット３０は、ユーザの音声の通話用音声データを広域電話回線網経由で相手の通話機器に送信する。
【００７３】
また中央処理ユニット３０は、この際、相手の通話機器から送信された通話用音声データを広域用アンテナ３５で受信すると、当該通話用音声データを、広域用通信処理部３４を介して取り込んで音声処理部３７に送出する。
【００７４】
音声処理部３７は、中央処理ユニット３０から与えられた通話用音声データを処理し、得られる音声信号をスピーカ３８から相手の音声として出力する。
【００７５】
このようにして中央処理ユニット３０は、通話モード時、ユーザからの通話の要求に応じて相手の通話機器と通信接続が確立すると、当該ユーザと相手との互いの音声の通話用音声データを送受信して、ユーザと相手とを通話させることができる。
【００７６】
因みに、中央処理ユニット３０は、実行中の機能に関わらずに、相手の通話機器から送信された着呼データを広域用アンテナ３５で受信したときには、当該着呼データを、広域用通信処理部３４を介して取り込む。
【００７７】
また中央処理ユニット３０は、その着呼データに基づき例えば、スピーカ３８から着信音を出力して、ユーザに相手からの着呼を通知する。
【００７８】
その結果、中央処理ユニット３０は、ユーザにより操作ボタン２３やタッチパネル２２を介して通話が許可され、相手の通話機器との通信接続が確立すると、上述と同様にマイクロホン３６及び音声処理部３７により通話用音声データを生成する。
【００７９】
また中央処理ユニット３０は、その通話用音声データを、広域用通信処理部３４を介して広域用アンテナ３５から基地局に送信する。
【００８０】
これにより中央処理ユニット３０は、ユーザの音声の通話用音声データを広域電話回線網経由で相手の通話機器に送信する。
【００８１】
また中央処理ユニット３０は、この際、相手の通話機器から送信された通話用音声データを広域用アンテナ３５で受信すると、当該通話用音声データを、広域用通信処理部３４を介して取り込んで音声処理部３７に送出する。
【００８２】
音声処理部３７は、中央処理ユニット３０から与えられた通話用音声データを処理し、得られる音声信号をスピーカ３８から相手の音声として出力する。
【００８３】
このようにして中央処理ユニット３０は、相手からの通話の要求に応じて当該相手の通話機器と通信接続が確立した場合も、ユーザと相手との互いの音声の通話用音声データを送受信して、ユーザと相手とを通話させることができる。
【００８４】
ところで、中央処理ユニット３０は、ユーザにより操作ボタン２３やタッチパネル２２を介して音声データの取得機能が選択されると、音声データ取得モードに移行する。
【００８５】
この際、中央処理ユニット３０は、ユーザにより操作ボタン２３又はタッチパネル２２を介して音声選択ページ画像の取得が要求されると、ページ画像要求データを生成する。
【００８６】
また中央処理ユニット３０は、そのページ画像要求データを、広域用通信処理部３４を介して広域用アンテナ３５から基地局に送信し、その基地局経由でインターネット（図示せず）上の配信装置（図示せず）に送信する。
【００８７】
その結果、中央処理ユニット３０は、配信装置から基地局経由でページ画像データが返信されると、当該ページ画像データを広域用アンテナ３５で受信し広域用通信処理部３４を介して取り込む。
【００８８】
そして中央処理ユニット３０は、そのページ画像データを画像処理部４０で復号処理した後、表示処理部４１を介してディスプレイ２１に送出する。
【００８９】
これにより中央処理ユニット３０は、ディスプレイ２１の表示面２１Ａにページ画像データに基づく音声選択ページ画像を表示する。
【００９０】
この状態で中央処理ユニット３０は、ユーザにより操作ボタン２３又はタッチパネル２２を介して音声選択ページ画像上で所望の音声データが選択されると、これに応じて、選択された音声データを要求するための音声要求データを生成する。
【００９１】
また中央処理ユニット３０は、その音声要求データを、広域用通信処理部３４を介して広域用アンテナ３５から基地局に送信し、その基地局経由でインターネット上の配信装置に送信する。
【００９２】
その結果、中央処理ユニット３０は、配信装置から基地局経由で、ユーザにより選択された音声データが当該音声データの属性情報を示す属性データと共に送信されると、これらを広域用アンテナ３５で受信し広域用通信処理部３４を介して取り込む。
【００９３】
因みに、以下の説明では、音声データの属性情報を、音声属性情報とも呼び、当該音声属性情報を示す属性データを、音声属性データとも呼ぶ。
【００９４】
そして中央処理ユニット３０は、その音声データ及び音声属性データを、携帯端末１１に内蔵された、又は着脱可能に設けられた記憶媒体４２に送出して、当該記憶媒体４２に音声データと音声属性データとを対応付けて記憶する。
【００９５】
このようにして中央処理ユニット３０は、ユーザにより音声データの取得が要求される毎に、配信装置を利用して音声データを取得することができる。
【００９６】
ここで、音声データは、音楽や自然界の音（波の音や川のせせらぎ、鳥や虫の鳴き声等）、落語、朗読等の音声をデジタルデータ化して生成されたものである。
【００９７】
また音声属性データは、対応する音声データの音声属性情報として、当該音声データを個別に識別可能な識別情報や、その音声データの再生時間及びデータサイズを示している。因みに、以下の説明では、音声データの識別情報を、音声識別情報とも呼ぶ。
【００９８】
さらに音声属性データは、対応する音声データの音声属性情報として、当該音声データに基づく音声のタイトルやアーティスト、ジャンル、リリース年等も示している。
【００９９】
そして中央処理ユニット３０は、ユーザにより操作ボタン２３やタッチパネル２２を介して音声データの再生機能が選択されると、音声データ再生モードに移行する。
【０１００】
この際、中央処理ユニット３０は、記憶媒体４２から複数の音声属性データを読み出す。また中央処理ユニット３０は、これら複数の音声属性データに含まれる例えば、タイトルに基づき、再生対象の音声データを選択するための音声選択画像データを生成する。
【０１０１】
そして中央処理ユニット３０は、その音声選択画像データを、表示処理部４１を介してディスプレイ２１に送出する。
【０１０２】
これにより中央処理ユニット３０は、ディスプレイ２１の表示面２１Ａに音声選択画像データに基づく音声選択画像（図示せず）を表示する。
【０１０３】
この場合、音声選択画像には、例えば、複数の音声データに基づく音声のタイトルがリスト化されて配置されている。
【０１０４】
これにより中央処理ユニット３０は、音声選択画像を介して、ユーザに再生可能な音声データを、対応するタイトルとして通知する。
【０１０５】
この状態で中央処理ユニット３０は、ユーザにより操作ボタン２３又はタッチパネル２２を介して音声選択画像上で再生対象の音声データがタイトルとして選択されると、記憶媒体４２から当該選択された音声データを読み出す。そして中央処理ユニット３０は、その音声データを音声処理部３７に送出する。
【０１０６】
音声処理部３７は、中央処理ユニット３０から与えられた音声データに復号処理のような所定の再生処理を施し、得られた音声信号をスピーカ、又は図示しないヘッドホン等を介して音声として出力する。
【０１０７】
このようにして中央処理ユニット３０は、ユーザにより再生対象として選択された音声データを再生して、その音声データに基づく音声を聴かせることができる。
【０１０８】
ところで、中央処理ユニット３０は、ユーザにより操作ボタン２３又はタッチパネル２２を介して被写体の撮影機能が選択されると、撮影モードに移行する。
【０１０９】
この際、カメラ部４５は、被写体を含む撮影範囲から到来する撮影光Ｌ１を、上述の撮影レンズ２４と共に種々の光学素子を含む撮影光学系４６を介して撮像素子４７の受光面で受光する。
【０１１０】
因みに、係る撮像素子４７は、ＣＣＤ（Charge  Coupled  Device）イメージセンサや、ＣＭＯＳ（Complementary  Metal  Oxide  Semiconductor）イメージセンサ等でなる。
【０１１１】
この際、中央処理ユニット３０は、ドライバ４８を介して、撮影光学系４６に設けられているモータ（図示せず）を適宜駆動制御することにより、当該撮影光学系４６において光学素子としてのフォーカスレンズの位置や絞りの開口量等を調整する。
【０１１２】
これにより中央処理ユニット３０は、撮影光学系４６において、被写体を含む撮影範囲に対するフォーカスや露出を自動調整する。
【０１１３】
また中央処理ユニット３０は、この際、ユーザにより操作ボタン２３又はタッチパネル２２を介してズームが指示されると、これに応じてドライバ４８を介して、撮影光学系４６に設けられているモータを駆動制御する。
【０１１４】
これにより中央処理ユニット３０は、撮影光学系４６内において光学素子としてのズームレンズを光軸に沿って移動させて、撮影範囲を広げ又は狭めるようにズーム倍率を調整する。
【０１１５】
この状態で中央処理ユニット３０は、撮像素子４７を制御する。よって撮像素子４７は、中央処理ユニット３０の制御のもと、受光面で受光している撮影光Ｌ１を所定周期で光電変換して、当該撮影光に応じたアナログの光電変換信号を順次生成してカメラ処理部４９に送出する。
【０１１６】
カメラ処理部４９は、撮像素子４７から光電変換信号が与えられる毎に、当該光電変換信号に増幅処理やノイズ低減処理等の所定のアナログ処理を施して、アナログの撮影信号を生成する。
【０１１７】
またカメラ処理部４９は、撮影信号を生成する毎に、当該撮影信号をアナログデジタル変換処理してデジタルの撮影データを生成する。
【０１１８】
さらにカメラ処理部４９は、撮影データにシェーディング補正処理や、ディスプレイ２１の表示面２１Ａの解像度に応じた画像縮小処理等の撮影状態提示用のデジタル処理を施して、当該デジタル処理を施した撮影データをディスプレイ２１に送出する。
【０１１９】
これによりカメラ処理部４９は、ディスプレイ２１の表示面２１Ａに撮影データに基づく撮影画像を動画像のように表示する。
【０１２０】
このようにしてカメラ処理部４９は、ディスプレイ２１の表示面２１Ａに表示した撮影画像をユーザに目視させて、撮影範囲や構図、フォーカス等のような被写体の撮影状態を確認させることができる。
【０１２１】
この状態で中央処理ユニット３０は、ユーザにより操作ボタン２３又はタッチパネル２２を介して写真撮影が指示されると、撮像素子４７及びカメラ処理部４９と、画像処理部４０とを写真撮影用に制御する。
【０１２２】
実際に中央処理ユニット３０は、このとき撮像素子４７において撮影光Ｌ１により受光面を所定のシャッタスピードで写真撮影用に露光する。
【０１２３】
よって撮像素子４７は、受光面を露光した撮影光を光電変換して、当該露光した撮影光に応じた光電変換信号を生成してカメラ処理部４９に送出する。
【０１２４】
カメラ処理部４９は、この際、撮像素子４７から与えられた光電変換信号に上述と同様にアナログ処理を施して撮影信号を生成した後、当該生成した撮影信号をアナログデジタル変換処理して撮影データを生成する。
【０１２５】
またカメラ処理部４９は、撮影データにシェーディング補正処理や、予め写真撮影用に選定された解像度に応じた画像縮小処理等の写真撮影用のデジタル処理を施して写真画像データを生成すると共に、当該生成した写真画像データを画像処理部４０に送出する。
【０１２６】
画像処理部４０は、カメラ処理部４９から写真画像データが与えられると、当該写真画像データに所定の圧縮符号化方式で圧縮符号化処理を施して中央処理ユニット３０に送出する。
【０１２７】
ところで、画像処理部４０は、この際、写真画像データの属性情報として、当該写真画像データに画素を間引くような縮小処理を施してサムネイル画像データを生成し、当該生成したサムネイル画像データも中央処理ユニット３０に送出している。
【０１２８】
因みに、サムネイル画像データに基づくサムネイル画像は、写真画像データに基づく写真画像よりもサイズが小さいものの、当該写真画像の絵柄と実質的に同一の絵柄を有している。
【０１２９】
よってサムネイル画像は、当該サムネイル画像の生成の元になった写真画像のインデックスとして用いることができるものである。なお、以下の説明では、写真画像データの属性情報を、写真属性情報とも呼ぶ。
【０１３０】
中央処理ユニット３０は、画像処理部４０から写真画像データ及びサムネイル画像データが与えられると、例えば、Ｅｘｉｆ（Exchangeable  image  file  format）に準じて、写真画像データの写真属性情報を示す写真属性データを生成する。
【０１３１】
因みに、写真属性データは、対応する写真画像データの写真属性情報として、当該写真画像データを個別に識別可能な識別情報や、その写真画像データのデータサイズを示している。因みに、以下の説明では、写真画像データの識別情報を写真識別情報とも呼ぶ。
【０１３２】
また写真属性データは、対応する写真画像データの写真属性情報として、被写体を写真撮影したときの撮影条件等の種々の情報も示すと共に、当該写真属性情報として、この際に画像処理部４０で生成されたサムネイル画像データを含んでいる。
【０１３３】
また中央処理ユニット３０は、写真画像データを写真属性データと共に記憶媒体４２に送出して、当該記憶媒体４２に写真画像データと写真属性データとを対応付けて記憶する。
【０１３４】
このようにして中央処理ユニット３０は、被写体を写真撮影して、その結果得られた写真画像データを記憶媒体４２に記憶することができる。
【０１３５】
そして中央処理ユニット３０は、ユーザにより操作ボタン２３又はタッチパネル２２を介して写真画像の再生機能が選択されると、写真再生モードに移行する。
【０１３６】
この際、中央処理ユニット３０は、記憶媒体４２から複数の写真属性データを読み出す。また中央処理ユニット３０は、これら複数の写真属性データに含まれるサムネイル画像データに基づき、再生対象の写真画像データを選択するための写真選択画像データを生成する。
【０１３７】
そして中央処理ユニット３０は、写真選択画像データを、表示処理部４１を介してディスプレイ２１に送出することにより、当該ディスプレイ２１の表示面２１Ａに写真選択画像データに基づく写真選択画像（図示せず）を表示する。
【０１３８】
この場合、写真選択画像には、複数のサムネイル画像が例えば、マトリックス状に配置されている。これにより中央処理ユニット３０は、写真選択画像を介して、ユーザに再生可能な写真画像データを、対応するサムネイル画像として通知する。
【０１３９】
この状態で中央処理ユニット３０は、ユーザにより操作ボタン２３又はタッチパネル２２を介して写真選択画像上で再生対象の写真画像データがサムネイル画像として選択されると、記憶媒体４２から当該選択された写真画像データを読み出す。また中央処理ユニット３０は、その写真画像データを画像処理部４０に送出する。
【０１４０】
画像処理部４０は、中央処理ユニット３０から写真画像データが与えられると、その写真画像データを復号してディスプレイ２１に送出することにより、当該ディスプレイ２１の表示面２１Ａに写真画像データに基づく写真画像を表示する。
【０１４１】
このようにして中央処理ユニット３０は、ユーザにより再生対象として選択された写真画像データを再生して、その写真画像データに基づく写真画像を見せることができる。
【０１４２】
係る構成に加えて、この携帯端末１１の場合、上述の近距離無線通信規格に準じて機器１２Ａ乃至１２Ｎと無線で通信するために用いる通信処理部５０及びアンテナ５１が設けられている。
【０１４３】
係る通信処理部５０は、上述の近距離無線通信規格に準じて、送信用のデータに所定の送信処理を施すと共に、アンテナ５１で受信されたデータに所定の受信処理を施すものである。
【０１４４】
またアンテナ５１は、上述の近距離無線通信規格に準じて、通信処理部５０で送信処理されたデータを機器１２Ａ乃至１２Ｎに送信すると共に、当該機器１２Ａ乃至１２Ｎから送信されたデータを受信するものである。
【０１４５】
因みに、以下の説明では、近距離無線通信規格に準じて機器１２Ａ乃至１２Ｎと無線で通信するために用いられる通信処理部５０を、近距離用通信処理部５０とも呼ぶ。
【０１４６】
また、以下の説明では、近距離無線通信規格に準じて機器１２Ａ乃至１２Ｎと無線で通信するために用いられるアンテナ５１を、近距離用アンテナ５１とも呼ぶ。
【０１４７】
そして中央処理ユニット３０は、ＲＡＭ３２上で展開した通信接続プログラムに従い、近距離用通信処理部５０及び近距離用アンテナ５１を使用して上述の機器１２Ａ乃至１２Ｎとの通信接続を確立する通信接続機能を実現することができる。
【０１４８】
また中央処理ユニット３０は、機器１２Ａ乃至１２Ｎとの通信接続が確立すると、引き続きＲＡＭ３２上で展開した通信処理プログラムに従い、近距離用通信処理部５０及び近距離用アンテナ５１を使用して機器１２Ａ乃至１２Ｎとデータを送受信するデータ送受信機能も実現することができる。
【０１４９】
よって以下には、まず中央処理ユニット３０が実現する通信接続機能について説明し、次いで、当該中央処理ユニット３０が実現するデータ送受信機能について説明する。
【０１５０】
中央処理ユニット３０は、ユーザにより操作ボタン２３又はタッチパネル２２を介して通信接続機能が選択されると、これに応じて通信接続モードに移行する。
【０１５１】
この場合、中央処理ユニット３０は、ユーザに通信対象の機器１２Ａ乃至１２Ｎを写真撮影して選定させるために、カメラ部４５を上述の撮影モード時と同様に動作させる。
【０１５２】
これにより中央処理ユニット３０は、カメラ部４５により撮影レンズ２４の入射面が向けられた方向を撮影して、ディスプレイ２１の表示面２１Ａに撮影画像を動画像のように表示する。
【０１５３】
そして中央処理ユニット３０は、少なくとも１台の機器１２Ａ乃至１２Ｎに撮影レンズ２４の入射面が向けられた状態でユーザにより操作ボタン２３又はタッチパネル２２を介して写真撮影が指示されると、当該機器１２Ａ乃至１２Ｎを写真撮影する。
【０１５４】
これによりカメラ処理部４９は、少なくとも１台の機器１２Ａ乃至１２Ｎが写り込んでいる写真画像の写真画像データを生成する。
【０１５５】
すなわち、中央処理ユニット３０は、通信接続モードでは、ユーザに、通信対象の機器１２Ａ乃至１２Ｎを写真撮影するようにして選定させている。
【０１５６】
ただし、機器１２Ａ乃至１２Ｎを写真撮影しただけでは、その機器１２Ａ乃至１２Ｎがどのような機器１２Ａ乃至１２Ｎであるのかが分からない。
【０１５７】
このためカメラ処理部４９は、このときには写真画像データを生成すると、中央処理ユニット３０の制御のもと、当該写真画像データを画像処理部４０へは送らずに中央処理ユニット３０に送出する。
【０１５８】
すなわち、カメラ処理部４９は、この際、ユーザにより写真撮影するようにして選定された通信対象の機器１２Ａ乃至１２Ｎの特定のために、その機器１２Ａ乃至１２Ｎが写り込んでいる写真画像の写真画像データを中央処理ユニット３０に送出する。
【０１５９】
ここで、図５に示すように、機器１２Ａ乃至１２Ｎの中には、筐体の比較的目立つ正面や側面等に、例えば、サイバーコード（登録商標）と呼ばれる２次元コード５５の印刷されたコードシール５６が貼着されたものがある。
【０１６０】
この場合、２次元コード５５は、当該２次元コード５５が添付された（すなわち、コードシール５６として付加された）機器１２Ａ乃至１２Ｎの例えば、識別情報（以下、これを機器識別情報とも呼ぶ）をコード化するようにして形成されている。
【０１６１】
図６に示すように、２次元コード５５は、例えば、当該２次元コード５５の所在を示すためのガイド領域５５Ａと、最小構成単位である正方形の複数のセルが水平方向及び垂直方向へｎ×ｍのマトリクス状に配置されたコード領域５５Ｂとから構成されている。
【０１６２】
ガイド領域５５Ａは、コード領域５５Ｂの１つの辺の長さと等しい長さを有する長方形状に形成され、コード領域５５Ｂの当該１つの辺と所定の間隙を介して平行に配置されている。
【０１６３】
またコード領域５５Ｂは、４隅のセルを除く複数のセルをそれぞれ白色と黒色との何れか一方の色にして、当該複数のセルの白色と黒色とのパターンで機器識別情報を表現している。
【０１６４】
因みに、２次元コード５５においてコード領域５５Ｂの４隅のセルは、機器識別情報の表現には寄与せず、当該コード領域５５Ｂの検出用として常に黒色に選定されている。
【０１６５】
また図７に示すように、機器１２Ａ乃至１２Ｎの中には、筐体に、このような２次元コード５５が印刷されたコードシール５６が何ら貼着されていないものもある。
【０１６６】
さらに中央処理ユニット３０は、機器１２Ａ乃至１２Ｎの特定用に当該機器１２Ａ乃至１２Ｎに関する機器情報を、記憶媒体４２に記憶するようにして当該記憶媒体４２に構築したデータベース（以下、これを機器データベースとも呼ぶ）に登録している。
【０１６７】
この場合、機器１２Ａ乃至１２Ｎの機器情報は、例えば、機器１２Ａ乃至１２Ｎの属性情報（以下、これを機器属性情報とも呼ぶ）と、携帯端末１１が当該機器１２Ａ乃至１２Ｎとの近距離無線通信規格に準じた通信に使用する通信使用情報とからなる。
【０１６８】
機器属性情報としては、対応する機器１２Ａ乃至１２Ｎの機器識別情報や機種名、機器１２Ａ乃至１２Ｎの輪郭を示す機器輪郭情報、当該機器１２Ａ乃至１２Ｎを模式的に示す３次元画像として生成されたアイコン（以下、これを機器アイコンとも呼ぶ）等がある。
【０１６９】
通信使用情報としては、例えば、対応する機器１２Ａ乃至１２Ｎ用のＳＳＩＤ（Service  Set  Identifier）と呼ばれる通信識別子や、送信データの暗号化及び受信データの復号に使用するＷＥＰ（Wired  Equivalent  Privacy）キーと呼ばれる暗号化キーがある。
【０１７０】
また通信使用情報としては、送信データの暗号化方式を示す暗号化情報や、機器１２Ａ乃至１２Ｎが携帯端末１１を認証する際の認証方式を示す認証情報等がある。
【０１７１】
そして機器１２Ａ乃至１２Ｎの機器情報は、機器１２Ａ乃至１２Ｎ毎に機器属性情報と通信使用情報とを対応付けるようにして機器データベースに登録されている。
【０１７２】
また機器属性情報としての機器識別情報、機種名及び機器輪郭情報等は、機器データベース上で機器１２Ａ乃至１２Ｎ毎に対応付けられている。
【０１７３】
さらに通信使用情報としての通信識別子、暗号化キー、暗号化情報、認証情報等も、機器データベース上で機器１２Ａ乃至１２Ｎ毎に対応付けられている。
【０１７４】
よって中央処理ユニット３０は、カメラ処理部４９から写真画像データが与えられると、機器データベースを利用して、その写真画像データに基づく写真画像に写り込んでいる機器１２Ａ乃至１２Ｎを特定する。
【０１７５】
すなわち、中央処理ユニット３０は、この際、写真画像データに基づく写真画像を２値化処理して２値画像を生成し、当該生成した２値画像内で２次元コード５５のガイド領域５５Ａを探索する。
【０１７６】
その結果、中央処理ユニット３０は、２値画像内で２次元コード５５のガイド領域５５Ａを検出すると、当該検出したガイド領域５５Ａの位置をもとにコード領域５５Ｂの４隅のセルを検出する。
【０１７７】
これにより中央処理ユニット３０は、２値画像内で、その検出した４隅のセルをもとにコード領域５５Ｂを特定する。
【０１７８】
また中央処理ユニット３０は、２値画像内のコード領域５５Ｂにおいて４隅のセルを除く複数の白色及び黒色のセルのパターンを、ガイド領域５５Ａ及び４隅のセルの位置に応じた所定の順番で２進数に変換した後、当該２進数を復号して機器識別情報を生成する。
【０１７９】
このようにして中央処理ユニット３０は、写真画像に機器１２Ａ乃至１２Ｎと共に２次元コード５５が写り込んでいると、その２次元コード５５に基づき、当該２次元コード５５が表現している機器１２Ａ乃至１２Ｎの機器識別情報を検出する。
【０１８０】
そして中央処理ユニット３０は、このように写真画像から機器識別情報を検出すると、その機器識別情報に基づき、記憶媒体４２の機器データベースを用いて、当該写真画像に写り込んでいる機器１２Ａ乃至１２Ｎの機種名を検出する。
【０１８１】
これにより中央処理ユニット３０は、写真画像に、コードシール５６が貼着された機器１２Ａ乃至１２Ｎが写り込んでいる場合、その機器１２Ａ乃至１２Ｎ（すなわち、機器１２Ａ乃至１２Ｎの機種名）を特定することができる。
【０１８２】
また中央処理ユニット３０は、写真画像内で、複数のエッジの形状と、当該複数のエッジの位置関係と、色とに基づき、コードシール５６が貼着されていない機器１２Ａ乃至１２Ｎの輪郭を形成していると想定されるエッジのまとまりを探索する。
【０１８３】
因みに、以下の説明では、機器１２Ａ乃至１２Ｎの輪郭を形成していると想定されるエッジのまとまりを、想定輪郭とも呼ぶ。
【０１８４】
その結果、中央処理ユニット３０は、写真画像内で想定輪郭を検出すると、当該写真画像から、その検出した想定輪郭を抽出する。
【０１８５】
そして中央処理ユニット３０は、記憶媒体４２から機器データベースに登録している機器輪郭情報を読み出すと共に、当該読み出した機器輪郭情報が示す輪郭と想定輪郭とに基づき所定の演算処理を実行する。
【０１８６】
これにより中央処理ユニット３０は、想定輪郭が写真画像に写り込んでいる機器１２Ａ乃至１２Ｎの輪郭として、どの程度確からしいかを示す確度を算出する。
【０１８７】
また中央処理ユニット３０は、その算出した確度を、予め選定された閾値と比較する。その結果、中央処理ユニット３０は、確度が閾値以上であると、想定輪郭が写真画像に写り込んでいる機器１２Ａ乃至１２Ｎの輪郭であると推定する。
【０１８８】
因みに、中央処理ユニット３０は、算出した確度が閾値よりも小さいと、想定輪郭が機器１２Ａ乃至１２Ｎの輪郭ではないと判断する。
【０１８９】
このようにして中央処理ユニット３０は、閾値以上の確度を得た想定輪郭を、写真画像に写り込んでいる機器１２Ａ乃至１２Ｎの輪郭として検出する。
【０１９０】
そして中央処理ユニット３０は、このように写真画像内で機器１２Ａ乃至１２Ｎの輪郭を検出すると、その検出に用いた機器輪郭情報に基づき、記憶媒体４２の機器データベースを用いて、当該写真画像に写り込んでいる機器１２Ａ乃至１２Ｎの機種名を検出する。
【０１９１】
これにより中央処理ユニット３０は、写真画像に、コードシール５６が貼着されていない機器１２Ａ乃至１２Ｎが写り込んでいる場合でも、その機器１２Ａ乃至１２Ｎ（すなわち、機器１２Ａ乃至１２Ｎの機種名）を特定することができる。
【０１９２】
このようにして中央処理ユニット３０は、ユーザにより写真撮影するようにして選定された通信対象の機器１２Ａ乃至１２Ｎを、当該機器１２Ａ乃至１２Ｎにコードシール５６が貼着されているか否かに関わらずに特定することができる。
【０１９３】
また中央処理ユニット３０は、この際、通信対象の機器１２Ａ乃至１２Ｎと他の機器１２Ａ乃至１２Ｎとを設置位置の関係で一緒に写真撮影していても、写真画像に写り込んでいる、これら全ての機器１２Ａ乃至１２Ｎを特定することができる。
【０１９４】
そして中央処理ユニット３０は、写真画像に写り込んでいる機器１２Ａ乃至１２Ｎを特定すると、当該写真画像内で機器１２Ａ乃至１２Ｎの写り込んでいる位置（以下、これを写真内機器位置とも呼ぶ）を検出する。
【０１９５】
すなわち、中央処理ユニット３０は、特定した機器１２Ａ乃至１２Ｎにコードシール５６が貼着されていると、写真画像内でコードシール５６に印刷されている２次元コード５５の例えば中心位置を、当該機器１２Ａ乃至１２Ｎの写真内機器位置として検出する。
【０１９６】
また中央処理ユニット３０は、特定した機器１２Ａ乃至１２Ｎにコードシール５６が貼着されていないと、写真画像内で当該機器１２Ａ乃至１２Ｎの輪郭の例えば、中心位置を、その機器１２Ａ乃至１２Ｎの写真内機器位置として検出する。
【０１９７】
因みに、以下の説明では、写真画像において画像垂直方向の一方の辺を、上辺とも呼び、他方の辺を、下辺とも呼ぶ。
【０１９８】
また、以下の説明では、写真画像において画像水平方向の一方の辺を、左辺とも呼び、他方の辺を、右辺とも呼ぶ。
【０１９９】
そして中央処理ユニット３０は、この際、写真画像において例えば、左下隅の頂点を２次元座標系の原点とし、その原点を通り下辺と一致する軸をＸ軸及び当該原点を通り左辺と一致する軸をＹ軸として、写真内機器位置を２次元座標（ＸＹ座標）として検出する。
【０２００】
ところで、記憶媒体４２には、撮影レンズ２４の入射面から撮影範囲内のフォーカスを合わせた位置までの距離（フォーカス距離とも呼ぶ）を、当該撮影範囲を表現する３次元空間画像内の距離に変換するための変換表が記憶されている。
【０２０１】
因みに、以下の説明では、撮影範囲を表現する３次元空間画像において撮影レンズ２４側の平面の垂直方向の一方の辺を、上辺とも呼び、当該平面の垂直方向の他方の辺を、下辺とも呼ぶ。
【０２０２】
また、以下の説明では、３次元空間画像において撮影レンズ２４側の平面の水平方向の一方の辺を、左辺とも呼び、当該平面の水平方向の他方の辺を、右辺とも呼ぶ。
【０２０３】
この場合、図８に示すように、撮影範囲を表現する３次元空間画像ＳＰ１は、撮影レンズ２４側の平面が、上述の写真画像と同一の大きさ及び形状を有し、全体として直方体状に形成される。
【０２０４】
また３次元空間画像ＳＰ１は、撮影レンズ２４側の平面において左下隅の頂点を３次元座標系の原点とする。
【０２０５】
そして３次元空間画像ＳＰ１は、原点を通り撮影レンズ２４側の平面の下辺と一致する軸をＸ軸、原点を通り撮影レンズ２４側の平面の左辺と一致する軸をＹ軸、原点をとおり左側の平面の下辺と一致する軸をＺ軸とする。
【０２０６】
因みに、以下の説明では、３次元空間画像ＳＰ１において撮影レンズ２４側の平面を、ＸＹ平面とも呼ぶ。
【０２０７】
このため上述の変換表は、例えば、フォーカス距離としてフォーカスレンズの位置（フォーカスレンズ位置とも呼ぶ）を利用し、当該フォーカスレンズ位置に、フォーカス距離に対応する３次元空間画像ＳＰ１内の距離としてＺ座標を対応付けて生成されている。
【０２０８】
よって中央処理ユニット３０は、写真内機器位置を検出すると、機器１２Ａ乃至１２Ｎの写真撮影でフォーカスを合わせたときのフォーカスレンズ位置に基づき、変換表から当該フォーカスレンズ位置に対応するＺ座標を検索する。
【０２０９】
また中央処理ユニット３０は、写真内機器位置を示すＸＹ座標に、その検索したＺ座標を加えて、撮影範囲を表現する３次元空間画像ＳＰ１内の機器１２Ａ乃至１２Ｎの位置（以下、これを空間内機器位置とも呼ぶ）を示す３次元座標（ＸＹＺ座標）を得る。
【０２１０】
さらに中央処理ユニット３０は、記憶媒体４２から機器データベースに登録している、特定した機器１２Ａ乃至１２Ｎの機器アイコンを読み出す。
【０２１１】
そして図９に示すように、中央処理ユニット３０は、このときの撮影範囲を当該撮影範囲内に配置されている機器１２Ａ乃至１２Ｎと共に立体的に示すように、空間内機器位置ＰＯ１に機器アイコン６０を配置した３次元空間画像ＳＰ２を生成する。
【０２１２】
因みに、中央処理ユニット３０は、この際、写真画像から、特定した機器１２Ａ乃至１２Ｎの撮影姿勢を示す撮影姿勢情報を抽出している。
【０２１３】
例えば、中央処理ユニット３０は、特定した機器１２Ａ乃至１２Ｎにコードシール５６が貼着されていると、写真画像から２次元コード５５の撮影形状を示すベクトルを撮影姿勢情報として抽出している。
【０２１４】
また中央処理ユニット３０は、特定した機器１２Ａ乃至１２Ｎにコードシール５６が貼着されていないと、写真画像から当該機器１２Ａ乃至１２Ｎの輪郭の撮影形状を示すベクトルを撮影姿勢情報として抽出している。
【０２１５】
そして中央処理ユニット３０は、その撮影姿勢情報に基づき、空間内機器位置に機器アイコン６０を、機器１２Ａ乃至１２Ｎの撮影時の姿勢と合わせるように配置して３次元空間画像ＳＰ２を生成している。
【０２１６】
また中央処理ユニット３０は、その３次元空間画像ＳＰ２を、ＸＹ平面よりも手前から当該ＸＹ平面側を見たように（すなわち、ＸＹ平面の前の視点から視線をＺ軸と平行にして当該ＸＹ平面側を見たように）２次元平面上に投影した２次元平面画像に変換する。
【０２１７】
このようにして中央処理ユニット３０は、２次元平面画像として、ユーザにより選定された機器１２Ａ乃至１２Ｎを示す選定機器画像を生成し、その選定機器画像の選定機器画像データを、表示処理部４１を介してディスプレイ２１に送出する。
【０２１８】
これにより中央処理ユニット３０は、この際、１台の機器１２Ａ、１２Ｂのみを写真撮影していると、ディスプレイ２１の表示面２１Ａに選定機器画像データに基づき図１０や図１１に示すような選定機器画像６５、６６を表示する。
【０２１９】
すなわち、中央処理ユニット３０は、ディスプレイ２１の表示面２１Ａに、ユーザにより通信対象として選定された１台の機器１２Ａ、１２Ｂのみを機器アイコン６７、６８で通知する選定機器画像６５、６６を表示する。
【０２２０】
また中央処理ユニット３０は、この際、例えば、２台の機器１２Ａ及び１２Ｎを写真撮影していると、ディスプレイ２１の表示面２１Ａに選定機器画像データに基づき図１２に示すような選定機器画像６９を表示する。
【０２２１】
すなわち、中央処理ユニット３０は、ディスプレイ２１の表示面２１Ａに、ユーザにより通信対象として選定された１台の機器１２Ａと、これと共に写真画像に写り込んでいた他の機器１２Ｎとを機器アイコン７０及び７１で通知する選定機器画像６９を表示する。
【０２２２】
中央処理ユニット３０は、ディスプレイ２１の表示面２１Ａに選定機器画像６５、６６、６９を表示すると、ユーザにより選定された通信対象の機器１２Ａ乃至１２Ｎを探索する探索処理を開始する。
【０２２３】
ただし、中央処理ユニット３０は、選定機器画像６５、６６において機器１２Ａ乃至１２Ｎを１台だけ示している場合は、当該機器１２Ａ乃至１２Ｎを通信対象とし、選定機器画像６５、６６の表示に応じて探索処理を自動的に開始する。
【０２２４】
また中央処理ユニット３０は、選定機器画像６９において複数台（例えば、２台）の機器１２Ａ及び１２Ｎを示している場合は、その選定機器画像６９上で、何れか１台の機器１２Ａ及び１２Ｎが改めて通信対象として選定されることを待ち受ける。
【０２２５】
そして図１３に示すように、中央処理ユニット３０は、例えば、ユーザにより選定機器画像６９上でタップ操作によって通信対象の１台の機器１２Ａが改めて機器アイコン７０として選定されると、これに応じて探索処理を開始する。
【０２２６】
中央処理ユニット３０は、探索処理を開始すると、記憶媒体４２の機器データベース内で、通信対象の機器１２Ａ乃至１２Ｎの通信使用情報（すなわち、特定した機器１２Ａ乃至１２Ｎの機種名に対応する通信使用情報）を検索する。
【０２２７】
また中央処理ユニット３０は、記憶媒体４２から検索した通信使用情報を読み出して、当該通信使用情報として読み出した通信識別子を格納し、通信対象の機器１２Ａ乃至１２Ｎを探索するための探索信号を生成する。
【０２２８】
そして中央処理ユニット３０は、その探索信号を、近距離用通信処理部５０を介して近距離用アンテナ５１から送信する。
【０２２９】
ここで、機器１２Ａ乃至１２Ｎは、上述した携帯端末１１の記憶媒体４２に記憶されている通信使用情報と同一の当該機器１２Ａ乃至１２Ｎの通信使用情報（すなわち、当該機器１２Ａ乃至１２Ｎの通信識別子や暗号化キー等）を保持している。
【０２３０】
また機器１２Ａ乃至１２Ｎは、動作中であれば、携帯端末１１から送信された探索信号を受信する。そして機器１２Ａ乃至１２Ｎは、探索信号を受信したときには、その探索信号に格納されている通信識別子を、自身が保持している通信識別子と比較して、これら２つの通信識別子が一致するか否かを判別する。
【０２３１】
その結果、機器１２Ａ乃至１２Ｎは、２つの通信識別子が一致すると、携帯端末１１に対し、探索されている機器１２Ａ乃至１２Ｎが自身であること（すなわち、動作している状態で存在していること）を示す探索応答信号を返信する。
【０２３２】
因みに、この際、携帯端末１１により探索されている（すなわち、通信対象の）機器１２Ａ乃至１２Ｎであっても、動作を停止している状態では、探索信号を受信し得ないと共に探索応答信号を返信することもない。
【０２３３】
また携帯端末１１により探索されていない機器１２Ａ乃至１２Ｎは、動作中で探索信号を受信しても、探索信号に格納されている通信識別子が、自身の保持している通信識別子と一致しないため探索応答信号を返信しない。
【０２３４】
よって中央処理ユニット３０は、探索信号を送信すると、通信対象の機器１２Ａ乃至１２Ｎから探索応答信号が返信されることを待ち受ける。
【０２３５】
そして中央処理ユニット３０は、探索信号を送信しても、通信対象の機器１２Ａ乃至１２Ｎから探索応答信号が返信されないと、当該機器１２Ａ乃至１２Ｎが動作を停止しており通信接続し得ないと判断して探索処理と共に通信接続処理を終了する。
【０２３６】
また中央処理ユニット３０は、通信対象の機器１２Ａ乃至１２Ｎから返信された探索応答信号を近距離用アンテナ５１で受信し近距離用通信処理部５０を介して取り込むと、探索応答信号により通信対象の機器１２Ａ乃至１２Ｎを発見し得たと認識する。
【０２３７】
すなわち、中央処理ユニット３０は、探索応答信号により、通信接続が可能な状態にある通信対象の機器１２Ａ乃至１２Ｎを発見し得たと認識する。
【０２３８】
これにより中央処理ユニット３０は、探索処理を終了して、引き続き通信使用情報としての認証情報が示す認証方式に従い認証処理を開始する。
【０２３９】
すなわち、中央処理ユニット３０は、通信対象の機器１２Ａ乃至１２Ｎが動作しており、探索し得る（すなわち、通信が可能であることを確認し得る）と、通信接続用の認証処理を開始する。
【０２４０】
中央処理ユニット３０は、認証処理を開始すると、例えば、通信対象の機器１２Ａ乃至１２Ｎに認証の開始を要求する開始要求信号を、近距離用通信処理部５０を介して近距離用アンテナ５１から当該通信対象の機器１２Ａ乃至１２Ｎに送信する。
【０２４１】
この際、通信対象の機器１２Ａ乃至１２Ｎは、携帯端末１１への探索応答信号の返信に引き続き、当該携帯端末１１から送信された開始要求信号を受信すると、例えば、通信使用情報としての認証情報が示す認証方式に従い認証処理を開始する。
【０２４２】
そして通信対象の機器１２Ａ乃至１２Ｎは、認証処理を開始すると、乱数を格納して認証処理の開始に応答する開始応答信号を生成し、当該生成した開始応答信号を携帯端末１１に返信する。
【０２４３】
中央処理ユニット３０は、通信対象の機器１２Ａ乃至１２Ｎに開始要求信号を送信した結果、当該通信対象の機器１２Ａ乃至１２Ｎから開始応答信号が返信されると、その開始応答信号を近距離用アンテナ５１で受信し近距離用通信処理部５０を介して取り込む。
【０２４４】
また中央処理ユニット３０は、開始応答信号に格納されている乱数を、例えば、通信使用情報としての暗号化キーを用いて暗号化して、暗号化乱数を生成する。
【０２４５】
そして中央処理ユニット３０は、その暗号化乱数を格納して、認証を要求する認証要求信号を生成し、当該生成した認証要求信号を、近距離用通信処理部５０を介して近距離用アンテナ５１から通信対象の機器１２Ａ乃至１２Ｎに送信する。
【０２４６】
この際、通信対象の機器１２Ａ乃至１２Ｎは、携帯端末１１への開始応答信号の返信に引き続き、当該携帯端末１１から送信された認証要求信号を受信すると、その認証要求信号から暗号化乱数を取り出す。
【０２４７】
また通信対象の機器１２Ａ乃至１２Ｎは、その暗号化乱数を、自身が保持している暗号化キーを用いて復号することにより乱数を生成する。
【０２４８】
そして通信対象の機器１２Ａ乃至１２Ｎは、その生成した乱数を、このとき携帯端末１１に送信していた乱数と比較して、これら２つの乱数が一致するか否かを判別する。
【０２４９】
その結果、通信対象の機器１２Ａ乃至１２Ｎは、２つの乱数が一致すると、携帯端末１１を正規の通信相手として認証して、その認証結果を示す認証応答信号を携帯端末１１に返信する。
【０２５０】
中央処理ユニット３０は、通信対象の機器１２Ａ乃至１２Ｎに認証要求信号を送信した結果、当該通信対象の機器１２Ａ乃至１２Ｎから認証応答信号が返信されると、その認証応答信号を近距離用アンテナ５１で受信し近距離用通信処理部５０を介して取り込む。
【０２５１】
これにより中央処理ユニット３０は、その認証応答信号に基づき、通信対象の機器１２Ａ乃至１２Ｎにより携帯端末１１が認証されたことを認識して認証処理を終了し、引き続き通信設定処理を開始する。
【０２５２】
中央処理ユニット３０は、通信設定処理を開始すると、通信対象の機器１２Ａ乃至１２Ｎに通信用の種々の設定を行うように要求する設定要求信号を生成する。
【０２５３】
そして中央処理ユニット３０は、その設定要求信号を、近距離用通信処理部５０を介して近距離用アンテナ５１から当該通信対象の機器１２Ａ乃至１２Ｎに送信する。
【０２５４】
この際、通信対象の機器１２Ａ乃至１２Ｎは、携帯端末１１への認証応答信号の返信に引き続き、当該携帯端末１１から送信された設定要求信号を受信すると、その設定要求信号に応じて、携帯端末１１との通信用に種々の設定を行う。
【０２５５】
そして、通信対象の機器１２Ａ乃至１２Ｎは、その設定が完了すると、携帯端末１１に通信を許可する許可応答信号を返信する。
【０２５６】
中央処理ユニット３０は、通信対象の機器１２Ａ乃至１２Ｎに設定要求信号を送信した結果、当該通信対象の機器１２Ａ乃至１２Ｎから許可応答信号が返信されると、その許可応答信号を近距離用アンテナ５１で受信し近距離用通信処理部５０を介して取り込む。
【０２５７】
これにより中央処理ユニット３０は、その許可応答信号に基づき、通信対象の機器１２Ａ乃至１２Ｎにより通信が許可されたこと、すなわち通信対象の機器１２Ａ乃至１２Ｎとの通信接続が確立したことを認識して設定要求処理と共に通信接続処理を終了する。
【０２５８】
このようにして中央処理ユニット３０は、通信接続処理を実行することにより、携帯端末１１と通信対象の機器１２Ａ乃至１２Ｎとの通信接続を確立する。
【０２５９】
ところで、携帯端末１１では、通信接続処理の実行中、当該通信接続処理の進捗状況に応じて、その進捗状況を段階的に通知するための通知段階が予め選定されている。
【０２６０】
実際に通知段階は、例えば、探索処理における探索信号の送信時点、認証処理における開始要求信号の送信時点、当該認証処理における認証要求信号の送信時点、通信設定処理における設定要求信号の送信時点、通信接続の確立時点の合計５段階に選定されている。
【０２６１】
そして中央処理ユニット３０は、通信接続処理の実行中、選定機器画像６５、６６、６９に通信接続処理の進捗状況を通知するための進捗状況通知画像を合成するようにして、当該通信接続処理の進捗状況に応じて、通知段階毎に進捗状況通知画像を更新する。
【０２６２】
これにより中央処理ユニット３０は、選定機器画像６５、６６、６９に合成した進捗状況通知画像によって、ユーザに通信接続処理の進捗状況を通知する。
【０２６３】
ただし、中央処理ユニット３０は、上述のように３次元空間画像ＳＰ２をもとに選定機器画像６５、６６、６９を生成している。
【０２６４】
このため中央処理ユニット３０は、実際には選定機器画像６５、６６、６９の元となる３次元空間画像ＳＰ２内に進捗状況通知画像を配置するようにして、当該選定機器画像６５、６６、６０に進捗状況通知画像を合成している。
【０２６５】
ここで、中央処理ユニット３０が通信接続処理の一環として実行する、当該通信接続処理の進捗状況を通知するための進捗状況通知処理について具体的に説明する。
【０２６６】
図１４に示すように、中央処理ユニット３０は、写真撮影した例えば、機器１２Ｂを特定して３次元空間画像ＳＰ２を生成したとき、ＸＹ平面の下辺の中点を携帯端末１１の位置（以下、これを端末位置とも呼ぶ）Ｐ０２とする。
【０２６７】
また中央処理ユニット３０は、３次元空間画像ＳＰ２において端末位置ＰＯ２と空間内機器位置ＰＯ１とを結ぶ位置間線分Ｌ１を上述の通知段階の数で等分するようにして個々の分割位置ＰＤ１乃至ＰＤ４を検出している。
【０２６８】
因みに、以下の説明では、位置間線分Ｌ１上の複数の分割位置ＰＤ１乃至ＰＤ４を、端末位置ＰＯ２側から順に第１分割位置ＰＤ１乃至第４分割位置ＰＤ４とも呼ぶ。
【０２６９】
そして中央処理ユニット３０は、探索処理を開始して探索信号を通信対象の機器１２Ｂに送信すると、選定機器画像６６に対する例えば、２等辺三角形でなる進捗状況通知画像の合成を開始する。
【０２７０】
因みに、以下の説明では、２等辺三角形でなる進捗状況通知画像において頂角部分の頂点を、画像一端とも呼び、底辺を、画像他端とも呼ぶ。
【０２７１】
また、以下の説明では、２等辺三角形でなる進捗状況通知画像において画像他端の中点（すなわち、２等辺三角形の底辺の中点）から画像一端（すなわち、２等辺三角形の頂角部分の頂点）までの長さを、画像長さとも呼ぶ。
【０２７２】
この場合、進捗状況通知画像は、画像他端の長さのみ予め選定されている。このため中央処理ユニット３０は、通信接続処理の進捗状況に応じて通知段階毎に、進捗状況通知画像の画像長さを選定して、画像他端の長さと、その選定した画像長さとに基づき当該進捗状況通知画像を生成している。
【０２７３】
よって図１５に示すように、中央処理ユニット３０は、３次元空間画像ＳＰ２において位置間線分Ｌ１を進捗状況通知画像７５の垂直２等分線とし画像他端を少なくとも一点でＸ軸に接触させたときの当該画像他端と位置間線分Ｌ１との交点ＩＰ１を検出する。因みに、以下の説明では、画像他端と位置間線分Ｌ１との交点ＩＰ１を、線分交点ＩＰ１とも呼ぶ。
【０２７４】
また中央処理ユニット３０は、その３次元空間画像ＳＰ２の位置間線分Ｌ１上で、線分交点ＩＰ１から第１分割位置ＰＤ１までの距離を、進捗状況通知画像７５の画像長さとして選定（すなわち、検出）する。
【０２７５】
さらに中央処理ユニット３０は、画像他端の予め選定されている長さと、この際に選定した画像長さとに基づき進捗状況通知画像７５を生成する。
【０２７６】
そして中央処理ユニット３０は、３次元空間画像ＳＰ２において、進捗状況通知画像７５を、画像他端の中点を位置間線分Ｌ１の線分交点ＩＰ１に一致させ、かつ画像一端を第１分割位置ＰＤ１に一致させて配置する。
【０２７７】
このようにして中央処理ユニット３０は、３次元空間画像ＳＰ２を、通信接続処理の進捗状況を通知可能なように加工する。
【０２７８】
また中央処理ユニット３０は、その３次元空間画像ＳＰ２を、上述と同様に２次元平面上に投影するようにして２次元平面画像でなる選定機器画像に変換する。
【０２７９】
そして中央処理ユニット３０は、その選定機器画像の選定機器画像データを、表示処理部４１を介してディスプレイ２１に送出する。
【０２８０】
これにより中央処理ユニット３０は、ディスプレイ２１の表示面２１Ａに選定機器画像データに基づき図１６に示すような、進捗状況通知画像７７を合成した選定機器画像７８を表示する。
【０２８１】
この後、中央処理ユニット３０は、認証処理を開始して開始要求信号を通信対象の機器１２Ｂに送信すると、再び進捗状況通知画像を生成する。
【０２８２】
すなわち、図１７に示すように、中央処理ユニット３０は、この場合、３次元空間画像ＳＰ２の位置間線分Ｌ１上で、線分交点ＩＰ１から第２分割位置ＰＤ２までの距離を、進捗状況通知画像７９の画像長さとして選定する。
【０２８３】
よって中央処理ユニット３０は、画像他端の予め選定されている長さと、この際に選定した画像長さとに基づき、前回生成した進捗状況通知画像７５よりも全体的に長い新たな進捗状況通知画像７９を生成する。
【０２８４】
そして中央処理ユニット３０は、３次元空間画像ＳＰ２において、進捗状況通知画像７９を、画像他端の中点を位置間線分Ｌ１の線分交点ＩＰ１に一致させ、かつ画像一端を第２分割位置ＰＤ２に一致させて配置する。
【０２８５】
因みに、中央処理ユニット３０は、この際、先の探索処理で、通信接続が可能な状態にある通信対象の機器１２Ｂを発見したうえで３次元空間画像ＳＰ２を加工している。
【０２８６】
このため中央処理ユニット３０は、３次元空間画像ＳＰ２において機器アイコン６０に、通信可能な状態にある通信対象の機器１２Ｂを発見したことを示す例えば、「×」印のような機器発見マーク８０を、ＸＹ平面側から見えるように張り付ける。
【０２８７】
そのうえで中央処理ユニット３０は、３次元空間画像ＳＰ２を、上述と同様に２次元平面上に投影するようにして２次元平面画像でなる選定機器画像に変換する。
【０２８８】
そして中央処理ユニット３０は、その選定機器画像の選定機器画像データを、表示処理部４１を介してディスプレイ２１に送出する。
【０２８９】
これにより中央処理ユニット３０は、ディスプレイ２１の表示面２１Ａに選定機器画像データに基づき図１８に示すような、進捗状況通知画像８１を合成した選定機器画像８２を表示する。
【０２９０】
すなわち、中央処理ユニット３０は、この際、ディスプレイ２１の表示面２１Ａに表示する選定機器画像８２内で進捗状況通知画像８１を画像他端は固定したまま全体を伸ばして画像一端を機器アイコン６８に近づけるように更新する。
【０２９１】
よって中央処理ユニット３０は、更新した進捗状況通知画像８１によってユーザに、携帯端末１１を通信対象の機器１２Ｂに通信接続するための通信接続処理が順調に進んでいることを直感的に認識させることができる。
【０２９２】
また中央処理ユニット３０は、選定機器画像８２において機器アイコン６８に張り付けた機器発見マーク８３により、通信可能な状態にある通信対象の機器１２Ｂを発見したうえで通線接続処理を継続していることも合わせて認識させることができる。
【０２９３】
さらに図１９に示すように、中央処理ユニット３０は、認証要求信号を通信対象の機器１２Ｂに送信したときには、３次元空間画像ＳＰ２の位置間線分Ｌ１上で、線分交点ＩＰ１から第３分割位置ＰＤ３までの距離を画像長さとして選定する。
【０２９４】
そして中央処理ユニット３０は、画像他端の長さ、及び選定した画像長さに基づき、前回生成した進捗状況通知画像７９よりも全体的にさらに長い新たな進捗状況通知画像８４を生成する。
【０２９５】
また中央処理ユニット３０は、３次元空間画像ＳＰ２において、その新たな進捗状況通知画像８４を、画像他端の中点を位置間線分Ｌ１の線分交点ＩＰ１に一致させ、かつ画像一端を第３分割位置ＰＤ３に一致させて配置する。
【０２９６】
さらに中央処理ユニット３０は、３次元空間画像ＳＰ２をもとに上述と同様に選定機器画像を生成して、当該選定機器画像の選定機器画像データを、表示処理部４１を介してディスプレイ２１に送出する。
【０２９７】
これにより中央処理ユニット３０は、ディスプレイ２１の表示面２１Ａに選定機器画像データに基づき図２０に示すような、進捗状況通知画像８５を合成した選定機器画像８６を表示する。
【０２９８】
すなわち、中央処理ユニット３０は、この際、ディスプレイ２１の表示面２１Ａに表示する選定機器画像８６内で進捗状況通知画像８５を画像他端は固定したまま全体を伸ばして画像一端を機器アイコン６８にさらに近づけるように更新する。
【０２９９】
よって中央処理ユニット３０は、更新した進捗状況通知画像８５によりユーザに、通信接続処理がさらに進んだことを直感的に認識させることができる。
【０３００】
さらに図２１に示すように、中央処理ユニット３０は、通信設定処理を開始して設定要求信号を通信対象の機器１２Ｂに送信すると、３次元空間画像ＳＰ２の位置間線分Ｌ１上で、線分交点ＩＰ１から第４分割位置ＰＤ４までの距離を画像長さとして選定する。
【０３０１】
そして中央処理ユニット３０は、画像他端の長さ、及び選定した画像長さに基づき、前回生成した進捗状況通知画像８４よりも全体的にさらに長い新たな進捗状況通知画像８７を生成する。
【０３０２】
また中央処理ユニット３０は、３次元空間画像ＳＰ２において、その新たな進捗状況通知画像８７を、画像他端の中点を位置間線分Ｌ１の線分交点ＩＰ１に一致させ、かつ画像一端を第４分割位置ＰＤ４に一致させて配置する。
【０３０３】
さらに中央処理ユニット３０は、３次元空間画像ＳＰ２をもとに上述と同様に選定機器画像を生成して、当該選定機器画像の選定機器画像データを、表示処理部４１を介してディスプレイ２１に送出する。
【０３０４】
これにより中央処理ユニット３０は、ディスプレイ２１の表示面２１Ａに選定機器画像データに基づき図２２に示すような、進捗状況通知画像８８を合成した選定機器画像８９を表示する。
【０３０５】
そして図２３に示すように、中央処理ユニット３０は、通信対象の機器１２Ｂとの通信接続が確立すると、３次元空間画像ＳＰ２の位置間線分Ｌ１上で、線分交点ＩＰ１から空間内機器位置ＰＯ１までの距離を画像長さとして選定する。
【０３０６】
そして中央処理ユニット３０は、画像他端の長さ、及び選定した画像長さに基づき、前回生成した進捗状況通知画像８７よりも全体的にさらに長い新たな進捗状況通知画像９０を生成する。
【０３０７】
また中央処理ユニット３０は、３次元空間画像ＳＰ２において、その新たな進捗状況通知画像９０を、画像他端の中点を位置間線分Ｌ１の線分交点ＩＰ１に一致させ、かつ画像一端を空間内機器位置ＰＯ１に一致させて配置する。
【０３０８】
因みに、中央処理ユニット３０は、この際、通信対象の機器１２Ｂとの通信接続が確立したことで、３次元空間画像ＳＰ２において機器アイコン６０に張り付けていた機器発見マーク８０を消去する。
【０３０９】
さらに中央処理ユニット３０は、その３次元空間画像ＳＰ２をもとに上述と同様に選定機器画像を生成して、その選定機器画像の選定機器画像データを、表示処理部４１を介してディスプレイ２１に送出する。
【０３１０】
これにより中央処理ユニット３０は、通信対象の機器１２Ｂとの通信接続が確立したときには、ディスプレイ２１の表示面２１Ａに図２４に示すような選定機器画像９１を表示するようにして進捗状況通知画像９２を最終的に更新する。
【０３１１】
すなわち、中央処理ユニット３０は、通信対象の機器１２Ｂとの通信接続が確立すると、選定機器画像９１に合成する進捗状況通知画像９２を、当該進捗状況通知画像９２の画像一端を機器アイコン６８に接触させるように更新する。
【０３１２】
このようにして中央処理ユニット３０は、通信接続処理の進捗状況に応じて、選定機器画像に合成する進捗状況通知画像を、画像他端を固定したまま全体を順次伸ばして画像一端を機器アイコン８６に徐々に近づけるように更新する。
【０３１３】
よって中央処理ユニット３０は、進捗状況通知画像の更新により、携帯端末１１を通信対象の機器１２Ｂと接続するための処理が順調に進んでいることを直感的に認識させることができる。
【０３１４】
また中央処理ユニット３０は、通信接続処理の進捗状況として通信対象の機器１２Ｂとの通信接続が確立したときには、選定機器画像９１に合成する進捗状況通知画像９２の画像一端を最終的に機器アイコン８６に繋げるように更新する。
【０３１５】
よって中央処理ユニット３０は、進捗状況通知画像９２の最終的な更新により、携帯端末１１を通信対象の機器１２Ｂにあたかも有線で接続し終えたかのように、通信接続が確立したことを直感的に認識させることができる。
【０３１６】
因みに、中央処理ユニット３０は、例えば、探索処理を実行して探索信号を送信しても、例えば、通信対象の機器１２Ｂが動作を停止していて、探索応答信号を受信し得なかったときには、これに応じて選定機器画像データを加工する。
【０３１７】
そして中央処理ユニット３０は、その加工した選定機器画像データを、表示処理部４１を介してディスプレイ２１に送出する。
【０３１８】
これにより中央処理ユニット３０は、ディスプレイ２１の表示面２１Ａに、その選定機器画像データに基づき図２５に示すような選定機器画像９５を表示する。
【０３１９】
すなわち、中央処理ユニット３０は、この際、選定機器画像９５に、通信対象の機器１２Ｂを探索し得なかったことを示す例えば、「接続可能な機器が見つかりません」というテキスト９６を重畳する。
【０３２０】
これにより中央処理ユニット３０は、選定機器画像９５上のテキスト９６を介して、ユーザに通信対象の機器１２Ｂが動作を停止しており、通信接続し得ないことを通知することができる。
【０３２１】
このようにして中央処理ユニット３０は、通信対象の機器１２Ｂとの通信接続が確立して、データの送受信が可能な状態になると、引き続きデータ送受信機能を自動的に選択してデータ送受信モードに移行する。
【０３２２】
この際、中央処理ユニット３０は、ユーザにより操作ボタン２３又はタッチパネル２２を介して例えば、写真画像データの送信が要求されると、記憶媒体４２から複数の写真属性データを読み出す。
【０３２３】
また中央処理ユニット３０は、これら複数の写真属性データに含まれるサムネイル画像データを選定機器画像データに合成して、得られた選定機器合成画像データを、表示処理部４１を介してディスプレイ２１に送出する。
【０３２４】
これにより中央処理ユニット３０は、ディスプレイ２１の表示面２１Ａに選定機器合成画像データに基づき図２６に示すような選定機器合成画像１００を表示する。
【０３２５】
選定機器合成画像１００は、元の選定機器画像の下辺寄りに、サムネイル表示領域１０１が設けられ、当該サムネイル表示領域１０１内に複数のサムネイル画像１０２乃至１０４が画像水平方向に一列に並べて配置されている。
【０３２６】
この際、図２７に示すように、中央処理ユニット３０は、ユーザにより例えば、サムネイル画像１０２上でタップ操作が行われると、当該タップ操作が行われたサムネイル画像１０１に対応する写真画像データが送信対象として選択されたと認識する。
【０３２７】
また図２８に示すように、中央処理ユニット３０は、ユーザにより例えば、サムネイル画像１０２上に指先が置かれてスライド操作されると、サムネイル画像１０２を、そのスライド操作による指先の移動先にドラッグ（移動）させる。
【０３２８】
そして中央処理ユニット３０は、スライド操作に応じてサムネイル画像１０２をサムネイル表示領域１０１内から進捗状況通知画像９２上までドラッグすると、ドラッグしたサムネイル画像１０１に対応する写真画像データが送信対象として選択されたと認識する。
【０３２９】
このようにして中央処理ユニット３０は、送信対象の写真画像データが、対応するサムネイル画像１０２として選択されると、記憶媒体４２から当該選択された写真画像データを読み出す。
【０３３０】
そして中央処理ユニット３０は、その写真画像データを、近距離用通信処理部５０を介して近距離用アンテナ５１から通信対象の機器１２Ｂ（すなわち、通信接続の確立した機器１２Ｂ）に送信する。
【０３３１】
ところで、中央処理ユニット３０は、この際、例えば、送信対象の写真画像データを、そのデータサイズよりも格段的に小さい所定データ単位毎に順次送信している。
【０３３２】
また中央処理ユニット３０は、送信対象の写真画像データを所定データ単位毎に送信しながら、その送信済部分のデータサイズを順次検出する。
【０３３３】
さらに中央処理ユニット３０は、送信対象の写真画像データを所定データ単位毎に送信しながら、送信済部分のデータサイズと、写真画像データ全体のデータサイズとに基づき写真画像データ全体に対する送信済部分の割合と未送信部分の割合とを順次検出する。
【０３３４】
因みに、以下の説明では、写真画像データ全体に対する送信済部分の割合を、送信済割合とも呼び、当該写真画像データ全体に対する未送信部分の割合を、未送信割合とも呼ぶ。
【０３３５】
そして中央処理ユニット３０は、その送信済割合及び未送信割合に基づき例えば、選定機器画像上で、送信対象の写真画像データの送信処理の進捗状況を通知する。
【０３３６】
図２９に示すように、実際に中央処理ユニット３０は、送信対象の写真画像データが選択されると、例えば、サムネイル画像１０２を、３次元空間画像ＳＰ２内の進捗状況通知画像９０の根元部分の幅よりも僅かに幅広となるように加工（拡大又は縮小）する。
【０３３７】
そのうえで中央処理ユニット３０は、３次元空間画像ＳＰ２において、その加工して得たサムネイル画像１０５を、ＸＹ平面と平行にし下辺の中点を線分交点ＩＰ１に一致させて配置する。
【０３３８】
すなわち、中央処理ユニット３０は、進捗状況通知画像９０の根元部分に、送信対象の写真画像データを示すサムネイル画像１０５をＸＹ平面側から見えるように配置する。
【０３３９】
また中央処理ユニット３０は、３次元空間画像ＳＰ２において、サムネイル画像１０５の右辺に、送信対象の写真画像データの送信済割合を示すテキスト（例えば、「０％」）を記述し、背景を透過させるように生成した送信済割合通知画像１０６も配置する。
【０３４０】
さらに中央処理ユニット３０は、３次元空間画像ＳＰ２において、機器アイコン６０に例えば、送信対象の写真画像データの未送信割合を示すテキスト（例えば、「残り１００％」）を記述した未送信割合通知画像１０７をＸＹ平面側から見えるように張り付ける。
【０３４１】
そして中央処理ユニット３０は、その３次元空間画像ＳＰ２を、上述と同様に２次元平面上に投影するようにして２次元平面画像でなる選定機器画像に変換する。
【０３４２】
また中央処理ユニット３０は、その選定機器画像の選定機器画像データを、表示処理部４１を介してディスプレイ２１に送出する。
【０３４３】
これにより中央処理ユニット３０は、ディスプレイ２１の表示面２１Ａに選定機器画像データに基づき図３０に示すような、送信対象の写真画像データをサムネイル画像１１０で示す選定機器画像１１１を表示する。
【０３４４】
この場合、中央処理ユニット３０は、選定機器画像１１１において進捗状況通知画像９２上のサムネイル画像１１０の配置位置により、そのサムネイル画像１１０が示す写真画像データの送信が開始されることを直感的に認識させることができる。
【０３４５】
また中央処理ユニット３０は、選定機器画像１１１においてサムネイル画像１１０の右横のテキスト１１２や機器アイコン６８に張り付けた未送信割合通知画像１１３により、写真画像データの送信が開始されることを確認させることができる。
【０３４６】
また図３１に示すように、中央処理ユニット３０は、送信済割合が例えば、２０％に達すると、サムネイル画像１０２を、３次元空間画像ＳＰ２内の進捗状況通知画像９０の第１分割位置ＰＤ１部分の幅よりも僅かに幅広となるように加工（拡大又は縮小）する。
【０３４７】
そのうえで中央処理ユニット３０は、先に生成した３次元空間画像ＳＰ２に、その加工したサムネイル画像１１５を追加するようにして、当該サムネイル画像１１５を、ＸＹ平面と平行にし下辺の中点を第１分割位置ＰＤ１に一致させて配置する。
【０３４８】
すなわち、中央処理ユニット３０は、進捗状況通知画像９０の根元部分よりも機器アイコン６０寄りに、送信対象の写真画像データを示すサムネイル画像１１５をＸＹ平面側から見えるように追加で配置する。
【０３４９】
また中央処理ユニット３０は、３次元空間画像ＳＰ２において、サムネイル画像１１５の右辺に、送信対象の写真画像データの送信済割合を示すテキスト（例えば、「２０％」）を記述し、背景を透過させるように生成した送信済割合通知画像１１６も配置する。
【０３５０】
さらに中央処理ユニット３０は、３次元空間画像ＳＰ２において機器アイコン６０に張り付けていた未送信割合通知画像１０６を、このときの未送信割合を示すテキスト（例えば、「残り８０％」）を記述した未送信割合通知画像１１７に変更する。
【０３５１】
そして中央処理ユニット３０は、その３次元空間画像ＳＰ２を、上述と同様に２次元平面上に投影するようにして２次元平面画像でなる選定機器画像に変換する。
【０３５２】
因みに、中央処理ユニット３０は、この際、３次元空間画像ＳＰ２内に先に配置していたサムネイル画像１０５を、背景が僅かに透過するように加工する。
【０３５３】
また中央処理ユニット３０は、その選定機器画像の選定機器画像データを、表示処理部４１を介してディスプレイ２１に送出する。
【０３５４】
さらに中央処理ユニット３０は、この後、送信済割合が例えば、４０％や６０％、８０％に達する毎に、上述と同様に３次元空間画像ＳＰ２にサムネイル画像を送信済割合通知画像と共に追加する。
【０３５５】
すなわち、中央処理ユニット３０は、送信済割合が４０％に達すると、進捗状況通知画像９０の第２分割位置ＰＤ２部分の幅よりも僅かに幅広となるように加工したサムネイル画像を、ＸＹ平面と平行にし下辺の中点を第２分割位置ＰＤ２に一致させて配置する。
【０３５６】
また中央処理ユニット３０は、送信済割合が６０％に達すると、進捗状況通知画像９０の第３分割位置ＰＤ３部分の幅よりも僅かに幅広となるように加工したサムネイル画像をＸＹ平面と平行にし下辺の中点を第３分割位置ＰＤ３に一致させて配置する。
【０３５７】
さらに中央処理ユニット３０は、送信済割合が８０％に達すると、進捗状況通知画像９０の第４分割位置ＰＤ４部分の幅よりも僅かに幅広となるように加工したサムネイル画像をＸＹ平面と平行にし下辺の中点を第４分割位置ＰＤ４に一致させて配置する。
【０３５８】
ただし、中央処理ユニット３０は、３次元空間画像ＳＰ２内にサムネイル画像を追加で配置する毎に、すでに配置していたサムネイル画像１０５、１１５を、配置からの経過時間が長いものほど背景の透過率が高くなるように加工する。
【０３５９】
また中央処理ユニット３０は、３次元空間画像ＳＰ２内にサムネイル画像を追加で配置する毎に、機器アイコン６０に張り付けていた未送信割合通知画像１０６を、そのときの未送信割合を示すテキストを記述した未送信割合通知画像に変更する。
【０３６０】
そして中央処理ユニット３０は、その３次元空間画像ＳＰ２を、上述と同様に２次元平面上に投影するようにして２次元平面画像でなる選定機器画像に変換する。
【０３６１】
また中央処理ユニット３０は、その選定機器画像の選定機器画像データを、表示処理部４１を介してディスプレイ２１に送出する。
【０３６２】
このようにして図３２に示すように、中央処理ユニット３０は、ディスプレイ２１の表示面２１Ａに表示する選定機器画像１２０において進捗状況通知画像９２上の順次機器アイコン６８側にサムネイル画像１２１、１２２を追加するように合成する。
【０３６３】
よって中央処理ユニット３０は、選定機器画像１２０の進捗状況通知画像９２上へのサムネイル画像１２１、１２２の追加により、そのサムネイル画像１２１、１２２が示す写真画像データの送信が順調に進んでいることを直感的に認識させることができる。
【０３６４】
また中央処理ユニット３０は、選定機器画像１２０においてサムネイル画像１２１、１２２の右横のテキスト１２３、１２４や機器アイコン６８に張り付けた未送信割合通知画像１２５により、写真画像データをどの程度送信したのかを確認させることもできる。
【０３６５】
そして中央処理ユニット３０は、写真画像データの送信が完了する（送信済割合が１００％に達する）と、３次元空間画像ＳＰ２において、その時点までに配置していたサムネイル画像１０５、１１５を未送信割合通知画像１０６、１１６と共に全て消去する。
【０３６６】
また中央処理ユニット３０は、送信の完了した写真画像データを示すサムネイル画像１０２を、機器アイコン６０の幅よりも僅かに幅を狭くするように加工（拡大又は縮小）する。
【０３６７】
さらに中央処理ユニット３０は、３次元空間画像ＳＰ２において機器アイコン６０に張り付けていた未送信割合通知画像を、その加工したサムネイル画像に変更する。
【０３６８】
そして中央処理ユニット３０は、その３次元空間画像ＳＰ２を、上述と同様に２次元平面上に投影するようにして２次元平面画像でなる選定機器画像に変換する。
【０３６９】
また中央処理ユニット３０は、その選定機器画像の選定機器画像データを、表示処理部４１を介してディスプレイ２１に送出する。
【０３７０】
これにより中央処理ユニット３０は、ディスプレイ２１の表示面２１Ａに選定機器画像データに基づき図３３に示すような、機器アイコン６８にサムネイル画像１２９を張り付けた選定機器画像１３０を表示する。
【０３７１】
よって中央処理ユニット３０は、選定機器画像１３０による進捗状況通知画像９２上からのサムネイル画像１１０、１２１、１２２の削除と、機器アイコン６８へのサムネイル画像１２９の張り付けとにより、写真画像データの送信が完了したことを直感的に認識させることができる。
【０３７２】
また中央処理ユニット３０は、選定機器画像１３０内に、写真画像データの送信が完了したことを示す「送信が完了しました」というテキスト１３１を表示する。
【０３７３】
よって中央処理ユニット３０は、選定機器画像１３０内の、係るテキスト１３１により、ユーザに写真画像データの送信が完了したことを確認させることができる。
【０３７４】
このようにして中央処理ユニット３０は、他の写真画像データについても上述と同様に、選定機器画像を介して送信処理の進捗状況を通知しながら、通信対象の機器１２Ｂに送信することができる。
【０３７５】
また中央処理ユニット３０は、音声データを通信対象の機器１２Ｂに送信する場合、サムネイル画像に変えて例えば、音声のタイトルを示すテキストを記述した画像を用いて、基本的には写真画像データの送信の場合と同様に処理する。
【０３７６】
これにより中央処理ユニット３０は、送信対象の音声データについても、選定機器画像を介して送信処理の進捗状況を通知しながら、通信対象の機器１２Ｂに送信することができる。
【０３７７】
因みに、中央処理ユニット３０は、通信対象の機器１２Ｂから写真画像データや音声データが送信される場合、まず当該機器１２Ｂから送信される写真属性データや音声属性データを受信する。
【０３７８】
そのうえで中央処理ユニット３０は、機器１２Ｂから送信される写真画像データや音声データを受信しながら、その写真属性データや音声属性データを用いて、上述の写真画像データの送信のときは基本的には逆の手順で選定機器画像を加工して表示する。
【０３７９】
これにより中央処理ユニット３０は、機器１２Ｂから写真画像データや音声データが送信されたときも、選定機器画像を介して受信処理の進捗状況を通知しながら、その写真画像データや音声データを受信することができる。
【０３８０】
因みに、中央処理ユニット３０は、写真画像データや音声データの送受信が完了して一定時間が経過すると、ディスプレイ２１の表示面２１Ａに表示する選定機器画像を、送受信の完了を通知する選定機器画像１３０から上述した選定機器画像９１（図２４）に戻す。
【０３８１】
すなわち、中央処理ユニット３０は、写真画像データや音声データの送受信が完了して一定時間が経過すると、ディスプレイ２１の表示面２１Ａに、通信対象の機器１２Ｂとの通信接続の確立を通知する選定機器画像９１を再表示する。
【０３８２】
ところで、図３４に示すように、中央処理ユニット３０は、表示中の選定機器画像９１上で、ユーザにより指先等によって進捗状況通知画像９２を横切るようにスライド操作されると、機器１２Ｂとの通信接続の切断が指示されたと認識する。
【０３８３】
よって中央処理ユニット３０は、このとき通信接続していた機器１２Ｂとの当該通信接続を切断する。また中央処理ユニット３０は、その通信接続の切断に応じて、選定機器画像データを加工する。
【０３８４】
そして中央処理ユニット３０は、その加工した選定機器画像データを、表示処理部４１を介してディスプレイ２１に送出する。
【０３８５】
これにより中央処理ユニット３０は、ディスプレイ２１の表示面２１Ａに選定機器画像データに基づき、図３５に示すような選定機器画像１３５を表示する。
【０３８６】
この場合、選定機器画像１３５内には、例えば、通信対象の機器１２Ｂとの通信接続を切断したことを示す「切断されました」というテキスト１３６が配置されている。
【０３８７】
よって中央処理ユニット３０は、選定機器画像１３５のテキスト１３６により、ユーザに、当該選定機器画像１３５が示す通信対象の機器１２Ｂとの通信接続を切断したことを通知することができる。
【０３８８】
ただし、中央処理ユニット３０は、この際、選定機器画像１３５内で機器アイコン６８に機器発見マーク８３を重畳させている。
【０３８９】
よって中央処理ユニット３０は、係る機器発見マーク８３により、通信対象の機器１２Ｂとの通信接続が、例えば、当該機器１２Ｂ側から動作を停止して切断されたのではなく、ユーザの指示により携帯端末１１側で切断したことを確認させることができる。
【０３９０】
ところで、中央処理ユニット３０は、通信接続の切断から一定時間が経過すると、ディスプレイ２１の表示面２１Ａに表示している選定機器画像内から、通信対象の機器１２Ｂとの通信接続を切断したことを示すテキスト１３６を消去する。
【０３９１】
そして中央処理ユニット３０は、選定機器画像により通信対象の機器１２Ｂを通知しながら、データ送受信機能の終了が指示されること、また通信対象の機器１２Ｂの再接続が指示されることを待ち受ける待機状態になる。
【０３９２】
この状態で中央処理ユニット３０は、例えば、図３６に示すように、ユーザにより選定機器画像１３７上でスライド操作が行われると、当該選定機器画像１３７内に、そのスライド操作の軌跡を示す線画１３８を描画する。
【０３９３】
すなわち、中央処理ユニット３０は、このとき選定機器画像１３７内に描画した線画１３８により、ユーザにどのようにスライド操作しているのかを確認させることができる。
【０３９４】
そして中央処理ユニット３０は、このとき選定機器画像１３７上で下辺寄りから機器アイコン６８に向けて所定長さ以上に渡ってスライド操作が行われたことを検出すると、その機器アイコン６８が示す通信対象の機器１２Ｂとの再接続が指示されたと認識する。
【０３９５】
このとき中央処理ユニット３０は、通信接続モードに移行して、選定機器画像１３７が示す通信対象の機器１２Ｂと通信接続するための通信接続処理として、再び上述と同様な探索処理、認証処理及び通信設定処理を順次実行する。
【０３９６】
このようにして中央処理ユニット３０は、通信対象の機器１２Ｂとの通信接続を一旦は切断しても、ユーザの指示に応じて当該通信対象の機器１２Ｂと再び通信接続する（すなわち、通信接続を確立し直す）ことができる。
【０３９７】
因みに、中央処理ユニット３０は、上述の待機状態においてユーザにより操作ボタン２３又はタッチパネル２２を介してデータ送受信機能の終了が指示されると、これに応じてデータ送受信機能を終了する。
【０３９８】
［１−５．通信接続処理手順］
次いで、図３７及び図３８に示すフローチャートを用いて、携帯端末１１の中央処理ユニット３０が実行する通信接続処理手順ＲＴ１について説明する。
【０３９９】
中央処理ユニット３０は、ユーザの指示に応じて通信接続モードに移行すると、ＲＡＭ３２上で展開した通信接続プログラムに従い、図３７に示す通信接続処理手順ＲＴ１を開始する。
【０４００】
中央処理ユニット３０は、通信接続処理手順ＲＴ１を開始すると、ステップＳＰ１において、携帯端末１１の周囲の撮影を開始して、次のステップＳＰ２に移る。
【０４０１】
ステップＳＰ２において中央処理ユニット３０は、ユーザにより写真撮影が指示されることを待ち受け、当該写真撮影が指示されると、撮影レンズ２４が向けられた撮影範囲を写真撮影して写真画像データを生成した後、次のステップＳＰ３に移る。
【０４０２】
ステップＳＰ３において中央処理ユニット３０は、写真画像に写り込んでいる機器１２Ａ乃至１２Ｎを特定して、次のステップＳＰ４に移る。
【０４０３】
ステップＳＰ４において中央処理ユニット３０は、写真画像に写り込んでいる機器１２Ａ乃至１２Ｎの当該写真内機器位置に基づき、選定機器画像を生成する。
【０４０４】
そして中央処理ユニット３０は、ディスプレイ２１の表示面２１Ａに、その選定機器画像を表示して、次のステップＳＰ５に移る。
【０４０５】
ステップＳＰ５において中央処理ユニット３０は、ユーザにより通信対象の機器１２Ａ乃至１２Ｎが選定されたか否かを判別する。
【０４０６】
このステップＳＰ５において肯定結果が得られると、このことはユーザにより１台の機器１２Ａ乃至１２Ｎのみが写真撮影され、その写真撮影により当該１台の機器１２Ａ乃至１２Ｎが通信対象として選定されたことを表している。
【０４０７】
ステップＳＰ５において中央処理ユニット３０は、係る肯定結果を得ると、次のステップＳＰ６に移る。
【０４０８】
これに対しステップＳＰ５において否定結果が得られると、このことはユーザにより複数台の機器１２Ａ乃至１２Ｎが写真撮影されたことを表している。
【０４０９】
ステップＳＰ５において中央処理ユニット３０は、係る否定結果を得ると、ユーザにより選定機器画像上で任意に１台の機器１２Ａ乃至１２Ｎが通信対象として選定されることを待ち受ける。
【０４１０】
そして中央処理ユニット３０は、ユーザにより１台の機器１２Ａ乃至１２Ｎが通信対象として選定されると、次のステップＳＰ６に移る。
【０４１１】
ステップＳＰ６において中央処理ユニット３０は、探索処理を実行して、次のステップＳＰ７に移り、当該ステップＳＰ７において通信対象の機器１２Ａ乃至１２Ｎを発見したか否かを判別する。
【０４１２】
このステップＳＰ７において肯定結果が得られると、このことはステップＳＰ６において通信対象の機器１２Ａ乃至１２Ｎ用の探索信号を送信した結果、当該機器１２Ａ乃至１２Ｎから返信された探索応答信号を受信したことを表している。
【０４１３】
すなわち、係る肯定結果は、通信対象の機器１２Ａ乃至１２Ｎを探索した結果、当該機器１２Ａ乃至１２Ｎが通信可能な状態であることを確認したことを表している。
【０４１４】
ステップＳＰ７において中央処理ユニット３０は、係る肯定結果を得ると、次のステップＳＰ８に移る。
【０４１５】
ステップＳＰ８において中央処理ユニット３０は、通信対象の機器１２Ａ乃至１２Ｎとの間で認証処理を実行して、次のステップＳＰ９に移る。
【０４１６】
ステップＳＰ９において中央処理ユニット３０は、通信対象の機器１２Ａ乃至１２Ｎとの間で通信設定処理を開始して、設定要求信号を通信対象の機器１２Ａ乃至１２Ｎに送信した後、次のステップＳＰ１０に移る。
【０４１７】
ステップＳＰ１０において中央処理ユニット３０は、通信対象の機器１２Ａ乃至１２Ｎとの通信接続が確立することを待ち受ける。
【０４１８】
そして中央処理ユニット３０は、通信対象の機器１２Ａ乃至１２Ｎから返信された許可応答信号を受信して、通信対象の機器１２Ａ乃至１２Ｎとの通信接続が確立したことを認識すると、次のステップＳＰ１１に移り、係る通信接続処理手順ＲＴ１を終了する。
【０４１９】
因みに、上述のステップＳＰ７において否定結果が得られると、このことはステップＳＰ６において探索信号を送信した結果、通信対象の機器１２Ａ乃至１２Ｎが動作を停止しており、探索応答信号を受信しなかったことを表している。
【０４２０】
すなわち、係る否定結果は、通信対象の機器１２Ａ乃至１２Ｎを探索した結果、当該機器１２Ａ乃至１２Ｎが通信可能な状態にはないことを確認したことを表している。
【０４２１】
ステップＳＰ７において中央処理ユニット３０は、係る否定結果を得ると、ステップＳＰ１２に移る。
【０４２２】
そしてステップＳＰ１２において中央処理ユニット３０は、ユーザに選定機器画像を介して、通信対象の機器１２Ａ乃至１２Ｎを発見し得なかったことを通知した後、ステップＳＰ１１に移り、係る通信接続処理手順ＲＴ１を終了する。
【０４２３】
ところで、中央処理ユニット３０は、ステップＳＰ５において肯定結果を得ると、上述のようにステップＳＰ６に移り以降の処理を順次実行するものの、このステップＳＰ５において肯定結果を得たときには、ステップＳＰ１３にも移る。
【０４２４】
そしてステップＳＰ１３において中央処理ユニット３０は、ステップＳＰ６乃至ステップＳＰ１０の処理を並行して（実際には時分割で）、通信接続処理の進捗状況を通知するための進捗状況通知処理を実行する。
【０４２５】
実際に中央処理ユニット３０は、ステップＳＰ１３において進捗状況通知処理を実行する場合、ＲＡＭ３２上で展開した通信接続プログラムに従い、図３８に示す進捗状況通知処理サブルーチンＳＲＴ１を開始する。
【０４２６】
中央処理ユニット３０は、進捗状況通知処理サブルーチンＳＲＴ１を開始すると、ステップＳＰ１０１において探索処理を実行して探索信号を送信することを待ち受け、当該探索信号を送信すると、次のステップＳＰ１０２に移る。
【０４２７】
ステップＳＰ１０２において中央処理ユニット３０は、選定機器画像に進捗状況通知画像を合成する。
【０４２８】
そして中央処理ユニット３０は、ディスプレイ２１の表示面２１Ａにそれまで表示していた選定機器画像を、進捗状況通知画像を合成した選定機器画像に変更して、次のステップＳＰ１０３に移る。
【０４２９】
ステップＳＰ１０３において中央処理ユニット３０は、通信対象の機器１２Ａ乃至１２Ｎを発見したか否かを判別する。
【０４３０】
このステップＳＰ１０３において肯定結果が得られると、このことは通信対象の機器１２Ａ乃至１２Ｎを発見したこと、すなわち、当該機器１２Ａ乃至１２Ｎが通信可能な状態であることを確認したことを表している。
【０４３１】
ステップＳＰ１０３において中央処理ユニット３０は、係る肯定結果を得ると、次のステップＳＰ１０４に移る。
【０４３２】
ステップＳＰ１０４において中央処理ユニット３０は、通信対象の機器１２Ａ乃至１２Ｎに開始要求信号、認証要求信号、設定要求信号の何れかの信号を送信したか否かを判別する。
【０４３３】
このステップＳＰ１０４において否定結果が得られると、このことは通信対象の機器１２Ａ乃至１２Ｎに送信する信号を生成している途中てあること、又は通信対象の機器１２Ａ乃至１２Ｎから許可応答信号が返信されることを待ち受けていることを表している。
【０４３４】
ステップＳＰ１０４において中央処理ユニット３０は、係る否定結果を得ると、ステップＳＰ１０５に移る。
【０４３５】
ステップＳＰ１０５において中央処理ユニット３０は、通信対象の機器１２Ａ乃至１２Ｎとの通信接続が確立したか否かを判別する。
【０４３６】
このステップＳＰ１０５において否定結果が得られると、このことは通信対象の機器１２Ａ乃至１２Ｎから未だ許可応答信号が返信されていないため、通信接続が確立してはいないことを表している。
【０４３７】
ステップＳＰ１０５において中央処理ユニット３０は、係る否定結果を得ると、ステップＳＰ１０４に戻る。
【０４３８】
よって中央処理ユニット３０は、この後、ステップＳＰ１０４及びステップＳＰ１０５の何れかにおいて肯定結果を得るまでの間、当該ステップＳＰ１０４及びステップＳＰ１０５の処理を循環的に繰り返す。
【０４３９】
これにより中央処理ユニット３０は、通信対象の機器１２Ａ乃至１２Ｎに送信する信号を生成し終えること、また通信対象の機器１２Ａ乃至１２Ｎから許可応答信号が返信されることを待ち受ける。
【０４４０】
そしてステップＳＰ１０４において肯定結果が得られると、このことは開始要求信号、認証要求信号、設定要求信号の何れかの信号を生成して、当該生成した信号を通信対象の機器１２Ａ乃至１２Ｎに送信したことを表している。
【０４４１】
ステップＳＰ１０４において中央処理ユニット３０は、係る肯定結果を得ると、次のステップＳＰ１０６に移る。
【０４４２】
ステップＳＰ１０６において中央処理ユニット３０は、選定機器画像内の進捗状況通知画像を更新する。
【０４４３】
そして中央処理ユニット３０は、ディスプレイ２１の表示面２１Ａにそれまで表示していた選定機器画像を、進捗状況通知画像を更新した選定機器画像に変更して、ステップＳＰ１０４に戻る。
【０４４４】
よって中央処理ユニット３０は、この後、ステップＳＰ１０５において肯定結果を得るまでの間、ステップＳＰ１０４及びステップＳＰ１０６の処理を循環的に繰り返す。
【０４４５】
これにより中央処理ユニット３０は、通信接続処理の進捗状況として通信対象の機器１２Ａ乃至１２Ｎに信号を送信する毎に、進捗状況通知画像を更新する。
【０４４６】
この後、ステップＳＰ１０５において肯定結果が得られると、このことは通信対象の機器１２Ａ乃至１２Ｎから返信された許可応答信号を受信して通信接続が確立したことを表している。
【０４４７】
ステップＳＰ１０５において中央処理ユニット３０は、係る肯定結果を得ると、次のステップＳＰ１０７に移る。
【０４４８】
そしてステップＳＰ１０７において中央処理ユニット３０は、選定機器画像内の進捗状況通知画像を、通信接続が確立したことを表すように更新する。
【０４４９】
そして中央処理ユニット３０は、ディスプレイ２１の表示面２１Ａにそれまで表示していた選定機器画像を、進捗状況通知画像を更新した選定機器画像に変更して、次のステップＳＰ１０８に移る。
【０４５０】
これによりステップＳＰ１０８において中央処理ユニット３０は、進捗状況通知処理サブルーチンＳＲＴ１を終了して、図３７について上述したステップＳＰ１１に移る。
【０４５１】
因みに、上述のステップＳＰ１０３において否定結果が得られると、このことは通信対象の機器１２Ａ乃至１２Ｎを発見し得なかったことを表している。
【０４５２】
ステップＳＰ１０３において中央処理ユニット３０は、係る否定結果を得ると、ステップＳＰ１０８に移って進捗状況通知処理サブルーチンＳＲＴ１を終了した後、図３７について上述したステップＳＰ１１に移る。
【０４５３】
［１−６．実施の形態の動作及び効果］
以上の構成において、携帯端末１１は、通信接続モード時、通信接続処理を開始すると、カメラ部４５を動作させてユーザに機器１２Ａ乃至１２Ｎを写真撮影させるようにして、通信対象の機器１２Ａ乃至１２Ｎを選定させる。
【０４５４】
そして携帯端末１１は、その写真撮影により選定された通信対象の機器１２Ａ乃至１２Ｎを示す選定機器画像を生成してディスプレイ２１の表示面２１Ａに表示する。
【０４５５】
この状態で携帯端末１１は、通信接続処理の一環として、通信対象の機器１２Ａ乃至１２Ｎと通信接続するために実際に信号の送受信を開始すると、選定機器画像に通信接続処理の進捗状況を通知するための進捗状況通知画像を合成する。
【０４５６】
そして携帯端末１１は、通信対象の機器１２Ａ乃至１２Ｎと通信接続用の信号を送受信しながら、通信接続処理の進捗状況に応じて、選定機器画像に合成する進捗状況通知画像を更新する。
【０４５７】
従って携帯端末１１は、通信接続処理を実行している間、ユーザに選定機器画像に合成する進捗状況通知画像により通信接続処理の進捗状況を認識させることができる。
【０４５８】
よって携帯端末１１は、通信対象の機器１２Ａ乃至１２Ｎとの通信接続が何時ぐらいに確立するのかを予測可能な状態で当該通信接続が確立することを待たせることができる。
【０４５９】
以上の構成によれば、携帯端末１１は、通信対象として選定された機器１２Ａ乃至１２Ｎと通信接続するための通信接続処理を開始して当該通信対象の機器１２Ａ乃至１２Ｎを示す選定機器画像を表示し、その選定機器画像に通信接続処理の進捗状況を通知するための進捗状況通知画像を合成するようにして、当該通信接続処理の進捗状況に応じて、選定機器画像内の進捗状況通知画像を更新するようにした。これにより携帯端末１１は、通信接続処理を実行している間、ユーザに選定機器画像内の進捗状況通知画像により通信接続処理の進捗状況を認識させることができ、その結果、通信対象の機器１２Ａ乃至１２Ｎとの通信接続が何時ぐらいに確立するのかを予測可能な状態で当該通信接続が確立することを待たせることができる。よって携帯端末１１は、当該携帯端末１１の使い勝手を格段的に向上させることができる。
【０４６０】
また携帯端末１１は、選定機器画像において通信対象の機器１２Ａ乃至１２Ｎを示す機器アイコンの配置位置とは異なる位置に進捗状況通知画像を合成するようにした。
【０４６１】
そして携帯端末１１は、通信接続処理の進捗状況に応じて進捗状況通知画像を更新する際、当該進捗状況通知画像を、画像他端を固定したまま全体を順次伸ばして画像一端を機器アイコンに近づけるようにした。
【０４６２】
従って携帯端末１１は、順次更新する進捗状況通知画像によりユーザに、あたかも携帯端末１１を通信対象の機器１２Ａ乃至１２Ｎに接続するための接続線が、当該携帯端末１１から機器１２Ａ乃至１２Ｎに向けて徐々に伸ばされているように感じさせて、通信接続処理が順調に進んでいることを直感的に認識させることができる。
【０４６３】
そのうえで携帯端末１１は、通信接続処理の進捗状況として通信対象の機器１２Ａ乃至１２Ｎとの通信接続が確立したとき、進捗状況通知画像の最終的な更新を実行して、当該進捗状況通知画像の画像一端を機器アイコンに接触させるようにした。
【０４６４】
すなわち、携帯端末１１は、通信対象の機器１２Ａ乃至１２Ｎとの通信接続が確立したとき、進捗状況通知画像により当該携帯端末１１と通信対象の機器１２Ａ乃至１２Ｎとがあたかも有線で接続されたように表現するようにした。
【０４６５】
従って携帯端末１１は、通信対象の機器１２Ａ乃至１２Ｎとの通信接続が確立したときには、当該通信接続が確立したことを直感的に認識させることができる。
【０４６６】
さらに携帯端末１１は、通信接続処理の進捗状況に応じて進捗状況通知画像を順次更新する際、当該進捗状況通知画像の画像長さを順次等しい長さずつ伸ばすようにした。
【０４６７】
従って携帯端末１１は、ユーザに当該携帯端末１１と通信対象の機器１２Ａ乃至１２Ｎとの通信接続が確立するまでに、どのくらい待てば良いのかを容易に予測させることができる。
【０４６８】
これに加えて携帯端末１１は、通信接続処理の進捗状況として通信対象の機器１２Ａ乃至１２Ｎに通信接続用の信号（すなわち、探索信号、開始要求信号、認証要求信号、設定要求信号）を送信する毎に進捗状況通知画像を順次更新するようにした。
【０４６９】
よって携帯端末１１は、進捗状況通知画像の更新周期がばらつくことを低減させることができ、その結果、ユーザに通信接続が確立することを待つ間、当該通信接続が何時ぐらいに確立するのかを容易にかつ的確に予測させることができる。
【０４７０】
さらに携帯端末１１は、通信対象の機器１２Ａ乃至１２Ｎに通信接続用の信号を送信する毎に進捗状況通知画像を順次更新すると、実際には機器１２Ａ乃至１２Ｎからの信号（すなわち、探索応答信号、開始応答信号、認証応答信号、許可応答信号）の返信を待ち受けている間に、進捗状況通知画像を更新するための処理を実行することができる。
【０４７１】
よって携帯端末１１は、通信接続処理の一環として進捗状況通知処理を実行するものの、処理負荷が増大することを回避することができる。
【０４７２】
＜２．変形例＞
［２−１  変形例１］
なお上述した実施の形態においては、通信接続モード時、機器アイコンを配置した３次元空間画像ＳＰ２をともに選定機器画像を生成するようにした場合について述べた。
【０４７３】
しかしながら本発明は、これに限らず、通信対象の機器１２Ａ乃至１２Ｎを写真撮影して生成した写真画像を、そのまま選定機器画像として用いるようにしても良い。
【０４７４】
また本発明は、写真撮影に先立ち機器１２Ａ乃至１２Ｎを撮影して得られる撮影画像を選定機器画像として用いるようにしても良い。
【０４７５】
さらに本発明は、事前に機器１２Ａ乃至１２Ｎを示すように生成されたＣＧ（Computer  Graphics）画像やアニメーション画像を選定機器画像として用いるようにしても良い。
【０４７６】
さらに本発明は、事前に機器１２Ａ乃至１２Ｎを写真撮影して写真画像を生成し記憶しておく。そして本発明は、通信接続モード時、特に写真撮影はせずに、通信対象の機器１２Ａ乃至１２Ｎを例えば、リストから選定させて、記憶しておいた複数の写真画像のうち、当該選定された機器１２Ａ乃至１２Ｎが写り込んでいる写真画像を選定機器画像として用いるようにしても良い。
【０４７７】
さらに本発明は、通信対象の機器１２Ａ乃至１２Ｎを写真撮影して生成した写真画像をもとに、当該写真画像を、写真内機器位置に２次元平面画像として生成された機器アイコンを配置して選定機器画像として用いるようにしても良い。
【０４７８】
そして本発明は、写真画像や撮影画像でなる選定機器画像、写真画像内に機器アイコンを配置して生成した選定機器画像を用いる場合、選定機器画像上に２次元平面画像やＣＧ画像でなる進捗状況通知画像を直接合成するようにしても良い。
【０４７９】
因みに、本発明は、選定機器画像上にＣＧ画像でなる進捗状況通知画像を合成する場合、写真撮影した機器１２Ａ乃至１２Ｎにコードシール５６が貼着されていると、写真画像内で２次元コード５５の位置（例えば、２次元コード５５の中心位置）を検出する。
【０４８０】
また本発明は、写真画像から２次元コード５５の撮影姿勢（写真画像内での２次元コード５５の形状）をベクトルとして抽出する。
【０４８１】
一方、本発明は、写真撮影した機器１２Ａ乃至１２Ｎにコードシール５６が貼着されていない場合、写真画像内で当該機器１２Ａ乃至１２Ｎの輪郭の位置（例えば、機器１２Ａ乃至１２Ｎの輪郭の中心位置）を検出する。
【０４８２】
また本発明は、その写真画像から機器１２Ａ乃至１２Ｎの撮影姿勢（写真画像内での機器１２Ａ乃至１２Ｎの輪郭の形状）をベクトルとして抽出する。
【０４８３】
そして本発明は、写真画像から抽出したベクトルに基づき、機器１２Ａ乃至１２Ｎを写真撮影した際の撮影レンズ２４の３次元的な位置を推定して、当該撮影レンズ２４と、写真画像内の機器１２Ａ乃至１２Ｎとの位置及び角度の関係を検出する。
【０４８４】
また本発明は、撮影レンズ２４と、写真画像内の例えば、予め選定された進捗状況通知画像の合成開始位置（例えば、写真画像内で進捗状況通知画像の画像他端を固定する位置）との位置及び角度の関係も検出する。
【０４８５】
これにより本発明は、その検出した位置及び角度の関係に基づき選定機器画像に、あたかも撮影レンズ２４から立体的に見えているように、ＣＧ画像でなる進捗状況通知画像を合成し、また当該進捗状況通知画像を更新することができる。
【０４８６】
また本発明は、上述のように撮影画像を選定機器画像として用いる場合、例えば、撮影画像に機器１２Ａ乃至１２Ｎが１台だけ写り込んでいるときには、当該撮影画像をそのまま選定機器画像として用いるようにしても良い。
【０４８７】
そして本発明は、撮影画像に１台だけ写り込んでいる機器１２Ａ乃至１２Ｎと通信接続した後、撮影範囲が変更され他の機器１２Ａ乃至１２Ｎを撮影したときには、通信接続の相手を、当該他の機器１２Ａ乃至１２Ｎに自動的に切り換えるようにしても良い。
【０４８８】
さらに本発明は、撮影画像を選定機器画像として用いる場合でも、撮影画像に複数台の機器１２Ａ乃至１２Ｎが写り込んでいるときには、自動的に写真撮影する。
【０４８９】
そして本発明は、その写真画像上で通信対象の機器１２Ａ乃至１２Ｎを選定させると共に、当該写真画像をそのまま又は機器アイコンを配置して選定機器画像として用いるようにしても良い。
【０４９０】
すなわち、本発明は、撮影画像に写り込んでいる機器１２Ａ乃至１２Ｎの台数に応じて、当該撮影画像をそのまま選定機器画像として用いるか、また写真撮影して写真画像を選定機器画像として用いるのかを切り換えるようにしても良い。
【０４９１】
［２−２  変形例２］
また上述した実施の形態においては、通信接続モード時、写真画像に複数台の機器１２Ａ乃至１２Ｎが写り込んでいると、当該写真画像上で１台の機器１２Ａ乃至１２Ｎを通信対象として選定させて通信接続するようにした場合について述べた。
【０４９２】
しかしながら本発明は、これに限らず、図３９に示すように、写真画像に複数台の機器１２Ａ乃至１２Ｎが写り込んでいる場合、当該写真画像に写り込んでいる全ての機器１２Ａ乃至１２Ｎと通信接続するようにしても良い。
【０４９３】
また本発明は、写真画像に写り込んでいる複数台の機器１２Ａ乃至１２Ｎのうち任意に選定された１台の機器１２Ａ乃至１２Ｎと通信接続した後、例えば、進捗状況通知画像をドラッグさせて通信接続する機器１２Ａ乃至１２Ｎの変更を指示させるようにしても良い。
【０４９４】
因みに、本発明は、写真撮影して生成した写真画像に機器１２Ａ乃至１２Ｎが全く写り込んでいない（機器１２Ａ乃至１２Ｎを特定し得なかった）場合は、機器１２Ａ乃至１２Ｎを写真撮影するよう通知するようにしても良い。
【０４９５】
また本発明は、通信接続処理を開始したときに機器１２Ａ乃至１２Ｎの探索を実行しておく。そして本発明は、写真画像に機器１２Ａ乃至１２Ｎが全く写り込んでいない場合には、探索により発見していた機器１２Ａ乃至１２Ｎのリストを表示して、通信可能な機器１２Ａ乃至１２Ｎを通知するようにしても良い。
【０４９６】
［２−３  変形例３］
さらに上述した実施の形態においては、通信接続モード時、通信対象の機器１２Ａ乃至１２Ｎを発見し得なかったときに、これを通知するようにした場合について述べた。
【０４９７】
しかしながら本発明は、これに限らず、携帯端末１１が通信対象の機器１２Ａ乃至１２Ｎと通信接続用の信号を送受信している間で、通信障害が起こる等して探索応答信号以外の信号を受信し得なかったときにも、その旨を通知するようにしても良い。
【０４９８】
そして本発明は、携帯端末１１において探索応答信号以外の信号を受信し得なかったときには、そのときに実行していた処理に応じて、信号を受信し得ないことで失敗した処理を通知するようにしても良い。
【０４９９】
また本発明は、例えば、通信対象の機器１２Ａ乃至１２Ｎにおいて一度に通信接続可能な装置の台数の上限が設定されており、携帯端末１１が探索信号を送信したとき、通信対象の機器１２Ａ乃至１２Ｎにすでに上限の台数分の装置が通信接続しているために、通信接続が拒否された場合には、その旨をユーザに通知するようにしても良い。
【０５００】
［２−４  変形例４］
さらに上述の実施の形態においては、選定機器画像に進捗状況通知画像を合成するために、当該進捗状況通知画像の画像他端を位置させる端末位置を予め選定するようにした場合について述べた。
【０５０１】
しかしながら本発明は、これに限らず、機器１２Ａ乃至１２Ｎを写真撮影する毎に、写真画像内の写真内機器位置や、３次元空間画像内の空間内機器位置に応じて、当該写真画像内で写真内機器位置から離れた場所や、３次元空間画像内で空間内機器位置から離れた場所で自動的に端末位置を決定するようにしても良い。
【０５０２】
本発明は、係る構成によれば、機器１２Ａ乃至１２Ｎの写真撮影により例えば、写真画像の下辺寄りに当該機器１２Ａ乃至１２Ｎが写り込んだ場合でも、通信接続処理の進捗状況を通知するための進捗状況通知画像を、写真画像内や３次元空間画像内の空きスペースを利用して合成することができる。
【０５０３】
これにより本発明は、写真画像内や３次元空間画像内において進捗状況通知画像が短すぎて、通信接続処理の進捗状況に応じた更新の程度が判別し難くなることを防止することができる。
【０５０４】
［２−５  変形例５］
さらに上述の実施の形態においては、通信接続処理の進捗状況を通知するために、２等辺三角形でなり、通信接続処理の進捗状況に応じて順次全体を伸ばすように更新する進捗状況通知画像を用いるようにした場合について述べた。
【０５０５】
しかしながら本発明は、これに限らず、図４０（Ａ）に示すように、内部が空白な例えば、三角形状に形成され、合成の開始時点には選定機器画像に端末位置と機器１２Ａ乃至１２Ｎの位置（写真内機器位置又は空間内機器位置）とを繋ぐように合成する進捗状況通知画像１４０を用いるようにしても良い。
【０５０６】
そして本発明は、進捗状況通知画像１４０を、選定機器画像に端末位置と機器１２Ａ乃至１２Ｎの位置とを繋ぐように合成した状態から、通信接続処理の進捗状況に応じて、画像他端側から画像一端側へと内部を徐々に塗り潰すようにして更新するようにしても良い。
【０５０７】
また図４０（Ｂ）に示すように、本発明は、複数のブロックからなる進捗状況通知画像１４１を用いるようにしても良い。
【０５０８】
そして本発明は、通信接続処理の進捗状況に応じて、進捗状況通知画像１４１を、順次ブロックを増加させて最終的に端末位置と機器１２Ａ乃至１２Ｎの位置とを繋ぐように更新するようにしても良い。
【０５０９】
さらに図４０（Ｃ）に示すように、本発明は、矢印でなる進捗状況通知画像１４２を用いるようにして、通信接続処理の進捗状況に応じて、当該進捗状況通知画像１４２を、順次全体を伸ばすように更新するようにしても良い。
【０５１０】
そして本発明は、上述した実施の形態の進捗状況通知画像や、図４０（Ａ）乃至（Ｃ）に示す進捗状況通知画像１４０乃至１４２について、通信接続が確立して端末位置と機器１２Ａ乃至１２Ｎの位置とを繋いだときには、それまでとは異なる表示状態（色や点滅の有無等）にしても良い。
【０５１１】
本発明は、係る構成によれば、進捗状況通知画像により、通信接続が確立したことを、より的確に通知することができる。
【０５１２】
また本発明は、端末位置と機器１２Ａ乃至１２Ｎの位置とを繋ぐような進捗状況通知画像に限らず、例えば、通信接続処理の進捗状況を百分率で表すテキストでなる進捗状況通知画像を用いるようにしても良い。
【０５１３】
［２−６  変形例６］
さらに上述の実施の形態においては、通信接続処理の進捗状況の通知段階を、探索信号の送信時点、開始要求信号の送信時点、認証要求信号の送信時点、設定要求信号の送信時点、通信接続の確立時点の合計５段階に選定するようにした場合について述べた。
【０５１４】
しかしながら本発明は、これに限らず、通信接続処理の進捗状況の通知段階を、探索処理の開始時点、認証処理の開始時点、通信設定処理の開始時点、通信接続の確立時点の合計４段階に選定するようにしても良い。
【０５１５】
また本発明は、通信接続処理の進捗状況の通知段階を、通信接続用の個々の信号の送信時点及び受信時点と、通信接続の確立時点の合計９段階に選定するようにしても良い。
【０５１６】
さらに本発明は、携帯端末１１と通信対象の機器１２Ａ乃至１２Ｎとの近距離無線通信に適用する近距離無線通信規格に準じた通信接続処理の内容に応じて、通信接続処理の進捗状況の通知段階を、この他種々の段階に選定することもできる。
【０５１７】
さらにまた本発明は、変形例１で上述したように通信接続処理に先立って予め用意していた選定機器画像を用いるような場合には、通知段階に、通信対象の機器１２Ａ乃至１２Ｎの選定時点を含めることもできる。
【０５１８】
［２−７  変形例７］
さらに上述した実施の形態においては、機器１２Ａ乃至１２Ｎの特定に、機器識別情報を表現するサイバーコード５５を用いるようにした場合について述べた。
【０５１９】
しかしながら本発明は、これに限らず、機器１２Ａ乃至１２Ｎの特定に、機器属性情報及び通信使用情報の少なくとも一方を表現するサイバーコードを用いるようにしても良い。
【０５２０】
［２−８  変形例８］
さらに上述した実施の形態においては、機器１２Ａ乃至１２Ｎの特定にサイバーコード５５を用いるようにした場合について述べた。
【０５２１】
しかしながら本発明は、これに限らず、ＱＲ（Quick  Response）コード（登録商標）や、ＤＡＴＡ  ＭＡＴＲＩＸ（登録商標）、Ｍａｘｉ  Ｃｏｄｅ（登録商標）等のようなマトリクス型２次元コードを用いるようにしても良い。
【０５２２】
また本発明は、ＰＤＦ４１７（登録商標）のようなスタック型２次元コードを用いるようにしても良い。さらに本発明は、バーコードを用いるようにしても良い。
【０５２３】
［２−９  変形例９］
さらに上述した実施の形態においては、本発明の通信接続装置を、図１乃至図４０について上述した通信接続装置１及び携帯端末１１に適用するようにした場合について述べた。
【０５２４】
しかしながら本発明は、これに限らず、パーソナルコンピュータや携帯電話機、ＰＤＡ（Personal  Digital  Assistance）、ゲーム機器、電子ブックリーダ等のように、近距離無線通信機能を有するこの他種々の通信接続装置に適用することができる。
【０５２５】
［２−１０  変形例１０］
さらに上述した実施の形態においては、本発明による通信接続プログラムを、携帯端末１１のＲＯＭ３１に予め記憶された通信接続プログラムに適用するようにした場合について述べた。
【０５２６】
そして上述した実施の形態においては、携帯端末１１の中央処理ユニット３０が、通信接続プログラムに従い、図３７について上述した通信接続処理手順ＲＴ１を実行するようにした場合について述べた。
【０５２７】
また上述した実施の形態においては、携帯端末１１の中央処理ユニット３０が、通信接続プログラムに従い、通信接続処理の一環として図３８について上述した進捗状況通知処理サブルーチンＳＲＴ１を実行するようにした場合について述べた。
【０５２８】
しかしながら本発明は、これに限らず、携帯端末１１が通信接続プログラムの記憶されたコンピュータ読取可能な記憶媒体によって当該通信接続プログラムをインストールするようにしても良い。
【０５２９】
そして中央処理ユニット３０が、そのインストールした通信接続プログラムに従って通信接続処理手順ＲＴ１及び進捗状況通知処理サブルーチンＳＲＴ１を実行するようにしても良い。
【０５３０】
また携帯端末１１は、ローカルエリアネットワークやインターネット、デジタル衛星放送等の有線及び無線通信媒体を利用して外部から通信接続プログラムをインストールするようにしても良い。
【０５３１】
そして通信接続プログラムを携帯端末１１にインストールして実行可能な状態にするためのコンピュータ読取可能な記憶媒体としては、例えば、フレキシブルディスクのようなパッケージメディアで実現しても良い。
【０５３２】
また通信接続プログラムを携帯端末１１にインストールして実行可能な状態にするためのコンピュータ読取可能な記憶媒体としては、例えば、ＣＤ−ＲＯＭ（Compact  Disc-Read  Only  Memory）のようなパッケージメディアで実現しても良い。
【０５３３】
さらに通信接続プログラムを携帯端末１１にインストールして実行可能な状態にするためのコンピュータ読取可能な記憶媒体としては、例えば、ＤＶＤ（Digital  Versatile  Disc）等のパッケージメディアで実現しても良い。
【０５３４】
さらに、係るコンピュータ読取可能な記憶媒体としては、パッケージメディアのみならず、各種プログラムが一時的もしくは永続的に記憶される半導体メモリや磁気ディスク等で実現しても良い。
【０５３５】
また、これらコンピュータ読取可能な記憶媒体に通信接続プログラムを記憶する手段としては、ローカルエリアネットワークやインターネット、デジタル衛星放送等の有線及び無線通信媒体を利用するようにしても良い。
【０５３６】
さらにコンピュータ読取可能な記憶媒体には、ルータやモデム等の各種通信インタフェースを介して通信接続プログラムを記憶するようにしても良い。
【０５３７】
［２−１１  変形例１１］
さらに上述した実施の形態においては、通信対象として選定された機器と通信接続するための通信接続処理を実行する通信接続処理部として、図１乃至図４０について上述した通信接続処理部２及び中央処理ユニット３０を適用するようにした場合について述べた。
【０５３８】
しかしながら本発明は、これに限らず、通信対象として選定された機器と通信接続するための通信接続処理を実行するハードウェア構成の通信接続処理回路を適用することができる。
【０５３９】
また本発明は、通信接続処理部として、ＤＳＰ（Digital  Signal  Processor）やマイクロプロセッサ等のように、この他種々の構成の通信接続処理部も広く適用することができる。
【０５４０】
［２−１２  変形例１２］
さらに上述した実施の形態においては、通信接続処理部により通信接続処理が開始されると、通信対象の機器を示す選定機器画像を表示する表示部として、図１乃至図４０について上述した表示部３及びディスプレイ２１を適用するようにした場合について述べた。
【０５４１】
しかしながら本発明は、これに限らず、表示部として、通信接続装置１や携帯端末１１に有線又は無線で接続された外付けのディスプレイを適用することができる。
【０５４２】
［２−１３  変形例１３］
さらに上述した実施の形態においては、選定機器画像に通信接続処理の進捗状況を通知するための進捗状況通知画像を合成するようにして、通信接続処理の進捗状況に応じて、選定機器画像に合成する進捗状況通知画像を更新する進捗状況通知部として、図１乃至図４０について上述した進捗状況通知部４及び中央処理ユニット３０を適用するようにした場合について述べた。
【０５４３】
しかしながら本発明は、これに限らず、選定機器画像に通信接続処理の進捗状況を通知するための進捗状況通知画像を合成するようにして、通信接続処理の進捗状況に応じて、選定機器画像に合成する進捗状況通知画像を更新するハードウェア構成の進捗状況通知回路を適用することができる。
【０５４４】
また本発明は、進捗状況通知部として、ＤＳＰやマイクロプロセッサ等のように、この他種々の構成の進捗状況通知部も広く適用することができる。
【産業上の利用可能性】
【０５４５】
本発明は、スマートフォンや携帯電話機、ノート型のパーソナルコンピュータ等の通信接続装置に利用することができる。
【符号の説明】
【０５４６】
１……通信接続装置、２……通信接続処理部、３……表示部、４……進捗状況通知部、１１……携帯端末、１２Ａ乃至１２Ｎ……機器、２１……ディスプレイ、２２……タッチパネル、３０……中央処理ユニット、４５……カメラ部、５０……近距離用通信処理部、５１……近距離用アンテナ、６５、６６、６９、７８、８２、８６、８９、９１……選定機器画像、６７、６８、７０、７１……機器アイコン、７７、８１、８５、８８、９２、１４０、１４１、１４２……進捗状況通知画像、ＲＴ１……通信接続処理手順、ＳＲＴ１……進捗状況通知処理サブルーチン。
【図１】
2012253508.tif 000003
【図２】
2012253508.tif 000004
【図３】
2012253508.tif 000005
【図４】
2012253508.tif 000006
【図５】
2012253508.tif 000007
【図６】
2012253508.tif 000008
【図７】
2012253508.tif 000009
【図８】
2012253508.tif 000010
【図９】
2012253508.tif 000011
【図１０】
2012253508.tif 000012
【図１１】
2012253508.tif 000013
【図１２】
2012253508.tif 000014
【図１３】
2012253508.tif 000015
【図１４】
2012253508.tif 000016
【図１５】
2012253508.tif 000017
【図１６】
2012253508.tif 000018
【図１７】
2012253508.tif 000019
【図１８】
2012253508.tif 000020
【図１９】
2012253508.tif 000021
【図２０】
2012253508.tif 000022
【図２１】
2012253508.tif 000023
【図２２】
2012253508.tif 000024
【図２３】
2012253508.tif 000025
【図２４】
2012253508.tif 000026
【図２５】
2012253508.tif 000027
【図２６】
2012253508.tif 000028
【図２７】
2012253508.tif 000029
【図２８】
2012253508.tif 000030
【図２９】
2012253508.tif 000031
【図３０】
2012253508.tif 000032
【図３１】
2012253508.tif 000033
【図３２】
2012253508.tif 000034
【図３３】
2012253508.tif 000035
【図３４】
2012253508.tif 000036
【図３５】
2012253508.tif 000037
【図３６】
2012253508.tif 000038
【図３７】
2012253508.tif 000039
【図３８】
2012253508.tif 000040
【図３９】
2012253508.tif 000041
【図４０】
2012253508.tif 000042